(57)【特許請求の範囲】
【請求項１】
ワイヤレス通信環境においてチャネル推定のために基準信号を送信することを容易にする方法であって、
ダウンリンク伝送に利用されるサブフレームにおけるシンボル数を識別することと、
利用者装置固有基準信号、すなわちＵＥ−ＲＳ、パターンを前記ダウンリンク伝送に利用される前記サブフレームにおけるシンボル数に基づいて選択することと、ここにおいて、前記ＵＥ−ＲＳパターンの少なくとも１つの時間領域コンポーネントは、構成されたいくつかの制御シンボルに応じて前記ＵＥ−ＲＳパターンの前記少なくとも１つの時間領域コンポーネントを時間シフトすることにより前記ダウンリンク伝送に利用される前記サブフレームにおけるシンボル数に基づいて得られる、
前記ＵＥ−ＲＳパターンの関数として前記サブフレームのリソースエレメントにＵＥ−ＲＳをマッピングすることと、
を備える、方法。
【請求項２】
前記サブフレームが、通常のサブフレームであり、かつ、前記サブフレームにおける全てのシンボルが、前記ダウンリンク伝送に利用されるものと識別される、請求項１に記載の方法。
【請求項３】
前記サブフレームが、ダウンリンクパイロットタイムスロット、すなわちＤｗＰＴＳ、を含み、かつ、前記ダウンリンク伝送に利用される前記サブフレームにおけるシンボル数が、構成された前記ＤｗＰＴＳ中に含まれるいくつかのシンボルであると識別される、請求項１に記載の方法。
【請求項４】
前記サブフレームが、リレーに送信され、かつ、ギャップシンボルとして予約される１つまたは複数のシンボルを含む、請求項１に記載の方法。
【請求項５】
前記ＵＥ−ＲＳパターンの時間領域コンポーネントが、同一の組みのシンボル上に符号分割多重化、すなわちＣＤＭ、グループを含む、請求項１に記載の方法。
【請求項６】
前記ＵＥ−ＲＳパターンの周波数領域コンポーネントが、前記ダウンリンク伝送に利用される前記サブフレームにおけるシンボル数に基づき変更されない、請求項１に記載の方法。
【請求項７】
前記ＵＥ−ＲＳパターンの１組の時間領域コンポーネントが、共通の数のシンボル分時間シフトされる、請求項１に記載の方法。
【請求項８】
前記ＵＥ−ＲＳパターンの１組の時間領域コンポーネントが、それぞれ異なる数のシンボル分時間シフトされる、請求項１に記載の方法。
【請求項９】
前記ＵＥ−ＲＳパターンの前記少なくとも１つの時間領域コンポーネントが、時間シフトされ、かつ、少なくとも１つの異なる時間領域コンポーネントが時間的に変更されない、請求項１に記載の方法。
【請求項１０】
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームにおけるシンボル数に基づき得られる、請求項１に記載の方法。
【請求項１１】
前記ダウンリンク伝送がリレーまたは利用者装置のうちの１つに送信されるかに基づき、前記ＵＥ−ＲＳパターンが選択される、請求項１に記載の方法。
【請求項１２】
ダウンリンク伝送に利用されるサブフレームにおけるシンボル数を識別することと、利用者装置固有基準信号、すなわちＵＥ−ＲＳ、パターンを前記ダウンリンク伝送に利用される前記サブフレームにおけるシンボル数に基づいて選択することと、ここにおいて、前記ＵＥ−ＲＳパターンの少なくとも１つの時間領域コンポーネントは、構成されたいくつかの制御シンボルに応じて前記ＵＥ−ＲＳパターンの前記少なくとも１つの時間領域コンポーネントを時間シフトすることにより前記ダウンリンク伝送に利用される前記サブフレームにおけるシンボル数に基づいて得られる、前記ＵＥ−ＲＳパターンの関数として前記サブフレームのリソースエレメントにＵＥ−ＲＳをマッピングすることと、に関連した命令を保持するメモリーと、
前記メモリー中に保持された前記命令を実行するように構成された、前記メモリーに結合された、プロセッサーと、
を備える、ワイヤレス通信装置。
【請求項１３】
前記サブフレームが通常のサブフレーム、ダウンリンクパイロットタイムスロット、すなわちＤｗＰＴＳ、を含むサブフレーム、またはギャップシンボルとして予約された１つまたは複数のシンボルを含むリレーに送信されるサブフレームの１つである、請求項１２に記載のワイヤレス通信装置。
【請求項１４】
前記ＵＥ−ＲＳパターンの時間領域コンポーネントが、同一の組みのシンボル上に符号分割多重化、すなわちＣＤＭ、グループを含む、請求項１２に記載のワイヤレス通信装置。
【請求項１５】
前記ＵＥ−ＲＳパターンの周波数領域コンポーネントが、前記ダウンリンク伝送に利用される前記サブフレームにおけるシンボル数に基づき変更されない、請求項１２に記載のワイヤレス通信装置。
【請求項１６】
前記ＵＥ−ＲＳパターンの１組の時間領域コンポーネントが、共通の数のシンボル分時間シフトされる、請求項１２に記載のワイヤレス通信装置。
【請求項１７】
前記ＵＥ−ＲＳパターンの１組の時間領域コンポーネントが、それぞれ異なる数のシンボル分時間シフトされる、請求項１２に記載のワイヤレス通信装置。
【請求項１８】
前記ＵＥ−ＲＳパターンの前記少なくとも１つの時間領域コンポーネントが、時間シフトされ、かつ、少なくとも１つの異なる時間領域コンポーネントが、時間的に変更されない、請求項１２に記載のワイヤレス通信装置。
【請求項１９】
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームにおけるシンボル数に基づき得られる、請求項１２に記載のワイヤレス通信装置。
【請求項２０】
前記ダウンリンク伝送がリレーまたは利用者装置のうちの１つに送信されるかに基づき、前記ＵＥ−ＲＳパターンが選択される、請求項１２に記載のワイヤレス通信装置。
【請求項２１】
ワイヤレス通信環境において基準信号を送信することを可能とするワイヤレス通信装置であって、
ダウンリンク伝送に利用されるサブフレームにおけるシンボル数を識別するための手段と、
利用者装置固有基準信号、すなわちＵＥ−ＲＳ、パターンを前記ダウンリンク伝送に利用される前記サブフレームにおけるシンボル数に基づいて選択するための手段と、ここにおいて、前記ＵＥ−ＲＳパターンの少なくとも１つの時間領域コンポーネントは、構成されたいくつかの制御シンボルに応じて前記ＵＥ−ＲＳパターンの前記少なくとも１つの時間領域コンポーネントを時間シフトすることにより前記ダウンリンク伝送に利用される前記サブフレームにおけるシンボル数に基づいて得られる、
前記ＵＥ−ＲＳパターンの関数として前記サブフレームのリソースエレメントにＵＥ−ＲＳをマッピングするための手段と、
を備える、ワイヤレス通信装置。
【請求項２２】
前記ＵＥ−ＲＳパターンの時間領域コンポーネントが、同一の組みのシンボル上に符号分割多重化、すなわちＣＤＭ、グループを含む、請求項２１に記載のワイヤレス通信装置。
【請求項２３】
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームにおけるシンボル数に基づき得られる、請求項２１に記載のワイヤレス通信装置。
【請求項２４】
コンピュータ読み取り可能な記憶媒体であって、
ダウンリンク伝送に利用されるサブフレームにおけるシンボル数を識別するためのコードと、
利用者装置固有基準信号、すなわちＵＥ−ＲＳ、パターンを前記ダウンリンク伝送に利用される前記サブフレームにおけるシンボル数に基づいて選択するためのコードと、ここにおいて、前記ＵＥ−ＲＳパターンの少なくとも１つの時間領域コンポーネントは、構成されたいくつかの制御シンボルに応じて前記ＵＥ−ＲＳパターンの前記少なくとも１つの時間領域コンポーネントを時間シフトすることにより前記ダウンリンク伝送に利用される前記サブフレームにおけるシンボル数に基づいて得られる、
前記ＵＥ−ＲＳパターンの関数として前記サブフレームのリソースエレメントにＵＥ−ＲＳをマッピングするためのコードと、
を備える、コンピュータ読み取り可能な記憶媒体。
【請求項２５】
前記ＵＥ−ＲＳパターンの時間領域コンポーネントが、同一の組みのシンボル上に符号分割多重化、すなわちＣＤＭ、グループを含む、請求項２４に記載のコンピュータ読み取り可能な記憶媒体。
【請求項２６】
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームにおけるシンボル数に基づき得られる、請求項２４に記載のコンピュータ読み取り可能な記憶媒体。
【請求項２７】
ダウンリンク伝送に利用されるサブフレームにおけるシンボル数を識別し、
利用者装置固有基準信号、すなわちＵＥ−ＲＳ、パターンを前記ダウンリンク伝送に利用される前記サブフレームにおけるシンボル数に基づいて選択し、ここにおいて、前記ＵＥ−ＲＳパターンの少なくとも１つの時間領域コンポーネントは、構成されたいくつかの制御シンボルに応じて前記ＵＥ−ＲＳパターンの前記少なくとも１つの時間領域コンポーネントを時間シフトすることにより前記ダウンリンク伝送に利用される前記サブフレームにおけるシンボル数に基づいて得られる、
前記ＵＥ−ＲＳパターンの関数として前記サブフレームのリソースエレメントにＵＥ−ＲＳをマッピングする、
ように構成されたプロセッサー、
を備える、ワイヤレス通信装置。
【請求項２８】
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームにおけるシンボル数に基づき得られる、請求項２７に記載のワイヤレス通信装置。
【請求項２９】
ワイヤレス通信環境においてチャネルを推定することを容易にする方法であって、
ダウンリンク伝送に割り当てられるサブフレームにおけるシンボル数を識別することと、
利用者装置固有基準信号、すなわちＵＥ−ＲＳ、パターンを前記ダウンリンク伝送に割り当てられる前記サブフレームにおけるシンボル数に基づいて認識することと、ここにおいて、前記ＵＥ−ＲＳパターンの少なくとも１つの時間領域コンポーネントは、構成されたいくつかの制御シンボルに応じて前記ＵＥ−ＲＳパターンの前記少なくとも１つの時間領域コンポーネントを時間シフトすることにより前記ダウンリンク伝送に割り当てられる前記サブフレームにおけるシンボル数に基づいて得られる、
前記ＵＥ−ＲＳパターンにより特定された前記サブフレームのリソースエレメント上のＵＥ−ＲＳを検出することと、
前記ＵＥ−ＲＳに基づきチャネルを推定することと、
を備える、方法。
【請求項３０】
前記ＵＥ−ＲＳパターンの時間領域コンポーネントが、同一の組みのシンボル上に符号分割多重化、すなわちＣＤＭ、グループを含む、請求項２９に記載の方法。
【請求項３１】
前記ＵＥ−ＲＳパターンの周波数領域コンポーネントが、前記ダウンリンク伝送に利用される前記サブフレームにおけるシンボル数に基づき変更されない、請求項２９に記載の方法。
【請求項３２】
前記ＵＥ−ＲＳパターンの１組の時間領域コンポーネントが、共通の数のシンボル分時間シフトされている、請求項２９に記載の方法。
【請求項３３】
前記ＵＥ−ＲＳパターンの１組の時間領域コンポーネントが、それぞれ異なる数のシンボル分時間シフトされている、請求項２９に記載の方法。
【請求項３４】
前記ＵＥ−ＲＳパターンの前記少なくとも１つの時間領域コンポーネントが、時間シフトされ、かつ、少なくとも１つの異なる時間領域コンポーネントが、時間的に変更されない、請求項２９に記載の方法。
【請求項３５】
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームにおけるシンボル数に基づき得られる、請求項２９に記載の方法。
【請求項３６】
前記サブフレームが、通常のサブフレーム、ダウンリンクパイロットタイムスロット、すなわちＤｗＰＴＳ、を含むサブフレーム、またはギャップシンボルとして予約された１つまたは複数のシンボルを含むリレーに送信されるサブフレームの１つである、請求項２９に記載の方法。
【請求項３７】
ダウンリンク伝送に割り当てられるサブフレームにおけるシンボル数を識別することと、利用者装置固有基準信号、すなわちＵＥ−ＲＳ、パターンを前記ダウンリンク伝送に割り当てられる前記サブフレームにおけるシンボル数に基づいて認識することと、ここにおいて、前記ＵＥ−ＲＳパターンの少なくとも１つの時間領域コンポーネントは、構成されたいくつかの制御シンボルに応じて前記ＵＥ−ＲＳパターンの前記少なくとも１つの時間領域コンポーネントを時間シフトすることにより前記ダウンリンク伝送に割り当てられる前記サブフレームにおけるシンボル数に基づいて得られる、前記ＵＥ−ＲＳパターンにより特定された前記サブフレームのリソースエレメント上のＵＥ−ＲＳを検出することと、前記ＵＥ−ＲＳに基づきチャネルを推定することと、に関連した命令を保持するメモリーと、
前記メモリーに結合され、前記メモリー中に保持された前記命令を実行するように構成された、プロセッサーと、
を備える、ワイヤレス通信装置。
【請求項３８】
前記ＵＥ−ＲＳパターンの時間領域コンポーネントが、同一の組みのシンボル上に符号分割多重化、すなわちＣＤＭ、グループを含む、請求項３７に記載のワイヤレス通信装置。
【請求項３９】
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームにおけるシンボル数に基づき得られる、請求項３７に記載のワイヤレス通信装置。
【請求項４０】
ワイヤレス通信環境においてチャネルを推定することを可能とするワイヤレス通信装置であって、
ダウンリンク伝送に割り当てられるサブフレームにおけるシンボル数を識別するための手段と、
利用者装置固有基準信号、すなわちＵＥ−ＲＳ、パターンを前記ダウンリンク伝送に割り当てられる前記サブフレームにおけるシンボル数に基づいて認識するための手段と、ここにおいて、前記ＵＥ−ＲＳパターンの少なくとも１つの時間領域コンポーネントは、構成されたいくつかの制御シンボルに応じて前記ＵＥ−ＲＳパターンの前記少なくとも１つの時間領域コンポーネントを時間シフトすることにより前記ダウンリンク伝送に割り当てられる前記サブフレームにおけるシンボル数に基づいて得られる、
前記ＵＥ−ＲＳパターンにより特定された前記サブフレームのリソースエレメント上のＵＥ−ＲＳを検出するための手段と、
前記ＵＥ−ＲＳに基づきチャネルを推定するための手段と、
を備える、ワイヤレス通信装置。
【請求項４１】
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームにおけるシンボル数に基づき得られる、請求項４０に記載のワイヤレス通信装置。
【請求項４２】
コンピュータ読み取り可能な記憶媒体であって、
ダウンリンク伝送に割り当てられるサブフレームにおけるシンボル数を識別するためのコードと、
利用者装置固有基準信号、すなわちＵＥ−ＲＳ、パターンを前記ダウンリンク伝送に割り当てられる前記サブフレームにおけるシンボル数に基づいて認識するためのコードと、ここにおいて、前記ＵＥ−ＲＳパターンの少なくとも１つの時間領域コンポーネントは、構成されたいくつかの制御シンボルに応じて前記ＵＥ−ＲＳパターンの前記少なくとも１つの時間領域コンポーネントを時間シフトすることにより前記ダウンリンク伝送に割り当てられる前記サブフレームにおけるシンボル数に基づいて得られる、
前記ＵＥ−ＲＳパターンにより特定された前記サブフレームのリソースエレメント上のＵＥ−ＲＳを検出するためのコードと、
前記ＵＥ−ＲＳに基づきチャネルを推定するためのコードと、
を備える、コンピュータ読み取り可能な記憶媒体。
【請求項４３】
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームにおけるシンボル数に基づき得られる、請求項４２に記載のコンピュータ読み取り可能な記憶媒体。
【請求項４４】
ダウンリンク伝送に割り当てられるサブフレームにおけるシンボル数を識別し、
利用者装置固有基準信号、すなわちＵＥ−ＲＳ、パターンを前記ダウンリンク伝送に割り当てられる前記サブフレームにおけるシンボル数に基づいて認識し、ここにおいて、前記ＵＥ−ＲＳパターンの少なくとも１つの時間領域コンポーネントは、構成されたいくつかの制御シンボルに応じて前記ＵＥ−ＲＳパターンの前記少なくとも１つの時間領域コンポーネントを時間シフトすることにより前記ダウンリンク伝送に割り当てられる前記サブフレームにおけるシンボル数に基づいて得られる、
前記ＵＥ−ＲＳパターンにより特定された前記サブフレームのリソースエレメント上のＵＥ−ＲＳを検出し、かつ、
前記ＵＥ−ＲＳに基づきチャネルを推定する、
ように構成された、プロセッサー
を備える、ワイヤレス通信装置。
【発明の詳細な説明】
【技術分野】
【０００１】
[関連出願の相互参照]
本出願は、２００９年８月４日に出願した「ＥＸＴＥＮＳＩＯＮ  ＯＦ  ＵＥ−ＲＳ  ＴＯ  ＤＷＰＴＳ  ＩＮ  ＬＴＥ」という名称の、米国仮出願第６１／２３１，２９４の利益を主張する。前述の出願の全体が参照により本明細書に組み込まれる。
【背景技術】
【０００２】
[背景]
I.分野
以下の説明は、一般にワイヤレス通信に関し、より詳細には、ワイヤレス通信システムにおけるダウンリンク伝送に利用されるシンボル数の関数であるＵＥ固有基準信号（ＵＥ−ＲＳ(user equipment specific reference signals)）設計の利用に関する。
【０００３】
II.背景
ワイヤレス通信システムは、例えば、音声、データなどの様々な形の通信コンテンツを提供するために幅広く展開されている。典型的なワイヤレス通信システムは、利用可能なシステム資源（例えば、帯域幅、送信電力、．．．）を共有することにより複数の利用者との通信を担う能力がある多重アクセスシステムであり得る。このような多重アクセスシステムの例には、符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システムなどが含まれ得る。さらに、システムは、第３世代パートナープロジェクト（３ＧＰＰ）、３ＧＰＰ  ロングタームエボリューション（ＬＴＥ(long term evolution)）、ウルトラモバイルブロードバンド（ＵＭＢ(ultra mobile broadband)）、エボルーションデータオプティマイズド（ＥＶ−ＤＯ（evolution data optimized））などのマルチキャリアワイヤレス仕様、これらの１つまたは複数の版、などの仕様に準拠することができる。
【０００４】
一般的に、ワイヤレス多重アクセス通信システムは、複数の利用者装置（ＵＥ;user equipment）に対する通信を同時に担うことができる。各ＵＥは、前方向および逆方向リンク上の伝送によって１つまたは複数の基地局と通信することができる。前方向リンク（またはダウンリンク）は、基地局からＵＥへの通信リンクを指し、逆方向リンク（またはアップリンク）はＵＥから基地局への通信リンクを指す。さらに、ＵＥと基地局の間の通信は、単一入力単一出力（ＳＩＳＯ）システム、多重入力単一出力（ＭＩＳＯ）、多重入力多重出力（ＭＩＭＯ）システムなどにより確立され得る。加えて、ＵＥは、他のＵＥと（および／または基地局は他の基地局と）ピアツウピアワイヤレスネットワーク形態(peer-to-peer wireless network configuration)で通信することができる。
【０００５】
ワイヤレスチャネルを介して送信される伝送のコヒーレント復調および復号を容易にするために、チャネル推定(channel estimation)が用いられ得る。ある例では、チャネル応答は、伝送において既知の基準信号を埋め込むことにより推定され得る。基準信号は、チャネル状態に起因して伝送されたシンボルに対する変動を近似することができる、チャネル応答の推定を容易にするために受信機により解析され得る。変動の近似は、シンボル識別、復調および復号の間受信機に役立てることができる。
【発明の概要】
【０００６】
以下の内容は、１つまたは複数の実施形態の簡単化した概要を示し、そのような実施形態についての基本的な理解を可能にすることを目的としている。本概要は、全ての検討した実施形態についての広範囲に及ぶ概観をするものではなく、また、全ての実施形態の要点または重要な要素を識別するものでも、任意のまたは全ての実施形態の範囲を描くことを意図したものでもない。その唯一の目的は、１つまたは複数の実施形態についてのいくつかの概念を簡単化した形で後述のより詳細な説明の前段として示すことである。
【０００７】
１つまたは複数の実施形態およびそれらの対応した開示によれば、様々な態様は、ワイヤレス通信環境における利用者装置固有基準信号（ＵＥ−ＲＳ）の送信および／または受信を容易にすることに関連して説明される。ＵＥ−ＲＳパターンは、ダウンリンク伝送に利用されるサブフレーム（subframe)におけるシンボル数に基づき選択され、生み出されるなどがなされ得る。ＵＥ−ＲＳパターンの少なくとも１つの時間領域コンポーネント（time domain component）は、ダウンリンク伝送のために利用されるサブフレームにおけるシンボル数(the numbers of symbols)に基づき変化させることができる。例えば、少なくとも１つの時間領域コンポーネントが、パンクチャ(puncture)される、時間シフトされるなどをなされ得る。さらに、ＵＥ−ＲＳは、ＵＥ−ＲＳパターンの関数としてサブフレームのリソースエレメントにマッピングされ得る。さらに、ＵＥは、サブフレームのリソースエレメント上のＵＥ−ＲＳを検出するためにＵＥ−ＲＳパターンを利用することができる。さらに、ＵＥは、ＵＥ−ＲＳに基づきチャネルを推定することができる。
【０００８】
関連した態様に従って、ワイヤレス通信環境においてチャネル推定のために基準信号を送信することを容易にする方法が、本明細書に記載される。本方法は、ダウンリンク伝送に利用されるサブフレームにおけるシンボル数を識別することを含むことができる。さらに、本方法は、利用者装置固有基準信号（ＵＥ−ＲＳ）パターンをダウンリンク伝送に利用されるサブフレームにおけるシンボル数に基づいて選択することを含むことができ、ここにおいて、ＵＥ−ＲＳパターンの少なくとも１つの時間領域コンポーネントは、ダウンリンク伝送に利用されるサブフレームにおけるシンボル数に基づいて変化する。さらに、本方法は、ＵＥ−ＲＳパターンの関数としてサブフレームのリソースエレメントにＵＥ−ＲＳをマッピング(mapping)することを含むことができる。
【０００９】
別の態様は、ワイヤレス通信装置に関連する。ワイヤレス通信装置は、ダウンリンク伝送に利用されるサブフレームにおけるシンボル数を識別することと、利用者装置固有基準信号（ＵＥ−ＲＳ）パターンをダウンリンク伝送に利用されるサブフレームにおけるシンボル数に基づいて選択することと、ここにおいて、ＵＥ−ＲＳパターンの少なくとも１つの時間領域コンポーネントは、ダウンリンク伝送に利用されるサブフレームにおけるシンボル数に基づいて変化する、ＵＥ−ＲＳパターンの関数としてサブフレームのリソースエレメントにＵＥ−ＲＳをマッピングすることと、に関連した命令を保持するメモリーを含むことができる。さらに、ワイヤレス通信装置は、メモリーに結合され、メモリー中に保持された命令を実行するように構成されたプロセッサーを含むことができる。
【００１０】
さらに別の態様は、ワイヤレス通信環境において基準信号を送信することを可能とするワイヤレス通信装置に関連する。ワイヤレス通信装置は、ダウンリンク伝送に利用されるサブフレームにおけるシンボル数を識別するための手段を含むことができる。さらに、ワイヤレス通信装置は、利用者装置固有基準信号（ＵＥ−ＲＳ）パターンをダウンリンク伝送に利用されるサブフレームにおけるシンボル数に基づいて選択するための手段を含むことができ、ここにおいて、ＵＥ−ＲＳパターンの少なくとも１つの時間領域コンポーネントは、ダウンリンク伝送に利用されるサブフレームにおけるシンボル数に基づいて変化する。さらに、ワイヤレス通信装置は、ＵＥ−ＲＳパターンの関数としてサブフレームのリソースエレメントにＵＥ−ＲＳをマッピングするための手段を含むことができる。
【００１１】
さらに別の態様は、コンピュータ読み取り可能な媒体を備えることができるコンピュータプログラム製品に関連する。コンピュータ読み取り可能な媒体は、ダウンリンク伝送に利用されるサブフレームにおけるシンボル数を識別するためのコードを含むことができる。さらに、コンピュータ読み取り可能な媒体は、利用者装置固有基準信号（ＵＥ−ＲＳ）パターンをダウンリンク伝送に利用されるサブフレームにおけるシンボル数に基づいて選択するためのコードを含むことができ、ここにおいて、ＵＥ−ＲＳパターンの少なくとも１つの時間領域コンポーネントは、ダウンリンク伝送に利用されるサブフレームにおけるシンボル数に基づいて変化する。さらに、コンピュータ読み取り可能な媒体は、ＵＥ−ＲＳパターンの関数としてサブフレームのリソースエレメントにＵＥ−ＲＳをマッピングするためのコードを含むことができる。
【００１２】
別の態様によれば、ワイヤレス通信装置は、ダウンリンク伝送に利用されるサブフレームにおけるシンボル数を識別するように構成され得るプロセッサーを含むことができる。さらに、プロセッサーは、利用者装置固有基準信号（ＵＥ−ＲＳ）パターンをダウンリンク伝送に利用されるサブフレームにおけるシンボル数に基づいて選択するように構成されることができ、ここにおいて、ＵＥ−ＲＳパターンの少なくとも１つの時間領域コンポーネントは、ダウンリンク伝送に利用されるサブフレームにおけるシンボル数に基づいて変化する。さらに、プロセッサーは、ＵＥ−ＲＳパターンの関数としてサブフレームのリソースエレメントにＵＥ−ＲＳをマッピングするように構成され得る。
【００１３】
他の態様によれば、ワイヤレス通信環境においてチャネルを推定することを容易にする方法が、本明細書に記載される。本方法は、ダウンリンク伝送に割り当てられるサブフレームにおけるシンボル数を識別することを含むことができる。さらに、本方法は、利用者装置固有基準信号（ＵＥ−ＲＳ）パターンをダウンリンク伝送に割り当てられるサブフレームにおけるシンボル数に基づいて認識することを含むことができ、ここにおいて、ＵＥ−ＲＳパターンの少なくとも１つの時間領域コンポーネントは、ダウンリンク伝送に割り当てられるサブフレームにおけるシンボル数に基づいて変化する。さらに、本方法は、ＵＥ−ＲＳパターンにより特定されるサブフレームのリソースエレメント上のＵＥ−ＲＳを検出することを、含むことができる。本方法はまた、ＵＥ−ＲＳに基づきチャネルを推定することを含むことができる。
【００１４】
別の態様は、ワイヤレス通信装置に関連する。ワイヤレス通信装置は、ダウンリンク伝送に割り当てられるサブフレームにおけるシンボル数を識別することと、利用者装置固有基準信号（ＵＥ−ＲＳ）パターンをダウンリンク伝送に割り当てられるサブフレームにおけるシンボル数に基づいて認識することと、ここにおいて、ＵＥ−ＲＳパターンの少なくとも１つの時間領域コンポーネントは、ダウンリンク伝送に割り当てられるサブフレームにおけるシンボル数に基づいて変化する、ＵＥ−ＲＳパターンにより特定されたサブフレームのリソースエレメント上のＵＥ−ＲＳを検出することと、ＵＥ−ＲＳに基づきチャネルを推定することと、に関連した命令を保持するメモリーを含むことができる。さらに、ワイヤレス通信装置は、メモリーに結合され、メモリー内に保持された命令を実行するように構成されたプロセッサーを含むことができる。
【００１５】
さらに別の態様は、ワイヤレス通信環境におけるチャネルを推定することを可能とするワイヤレス通信装置に関連する。ワイヤレス通信装置は、ダウンリンク伝送に割り当てられるサブフレームにおけるシンボル数を識別するための手段を含むことができる。ワイヤレス通信装置はまた、利用者装置固有基準信号（ＵＥ−ＲＳ）パターンをダウンリンク伝送に割り当てられるサブフレームにおけるシンボル数に基づいて認識するための手段を含むことができ、ここにおいて、ＵＥ−ＲＳパターンの少なくとも１つの時間領域コンポーネントは、ダウンリンク伝送に割り当てられるサブフレームにおけるシンボル数に基づいて変化する。さらに、ワイヤレス通信装置は、ＵＥ−ＲＳパターンにより特定されるサブフレームのリソースエレメント上のＵＥ−ＲＳを検出するための手段を含むことができる。さらに、ワイヤレス通信装置は、ＵＥ−ＲＳに基づきチャネルを推定するための手段を含むことができる。
【００１６】
さらに別の態様は、コンピュータ読み取り可能な媒体を備えることができるコンピュータプログラム製品に関連する。コンピュータ読み取り可能な媒体は、ダウンリンク伝送に割り当てられるサブフレームにおけるシンボル数を識別するためのコードを含むことができる。さらに、コンピュータ読み取り可能な媒体は、利用者装置固有基準信号（ＵＥ−ＲＳ）パターンをダウンリンク伝送に割り当てられるサブフレームにおけるシンボル数に基づいて認識するためのコードを含むことができ、ここにおいて、ＵＥ−ＲＳパターンの少なくとも１つの時間領域コンポーネントは、ダウンリンク伝送に割り当てられるサブフレームにおけるシンボル数に基づいて変化する。さらに、コンピュータ読み取り可能な媒体は、ＵＥ−ＲＳパターンにより特定されるサブフレームのリソースエレメント上のＵＥ−ＲＳを検出するためのコードを含むことができる。コンピュータ読み取り可能な媒体はまた、ＵＥ−ＲＳの基づきチャネルを推定するためのコードを含むことができる。
【００１７】
別の態様によれば、ワイヤレス通信装置は、ダウンリンク伝送に割り当てられるサブフレームにおけるシンボル数を識別するように構成され得るプロセッサーを含むことができる。さらに、プロセッサーは、利用者装置固有基準信号（ＵＥ−ＲＳ）パターンをダウンリンク伝送に割り当てられるサブフレームにおけるシンボル数に基づいて認識するように構成されることができ、ここにおいて、ＵＥ−ＲＳパターンの少なくとも１つの時間領域コンポーネントは、ダウンリンク伝送に割り当てられるサブフレームにおけるシンボル数に基づいて変化する。さらに、プロセッサーは、ＵＥ−ＲＳパターンにより特定されるサブフレームのリソースエレメント上のＵＥ−ＲＳを検出するように構成され得る。プロセッサーはまた、ＵＥ−ＲＳに基づきチャネルを推定するように構成され得る。
【００１８】
前記および関連した目的の達成に向けて、１つまたは複数の実施形態は、以降に完全に説明され、かつ特許請求の範囲において詳細に指摘される機能を備える。以下の説明および付属の図面では、１つまたは複数の実施形態の詳細な特定の例示的態様が本明細書中に記載される。しかしながら、これらの態様は、様々な実施形態の原理が用いられ得る様々な様式のうちのいくつかを示すにすぎず、かつ説明した実施形態が全てのそのような態様およびそれらの等価物を含むことを意図している。
【図面の簡単な説明】
【００１９】
【図１】本明細書中に記載の様々な態様に従ったワイヤレス通信システムの説明図。
【図２】様々な態様に従ったダウンリンクチャネル推定を容易にするためにＵＥ−ＲＳを用いる例示的ワイヤレスネットワークの説明図。
【図３】ワイヤレス通信環境においてサブフレーム中のＲＥにＵＥ−ＲＳをマッピングする例示的システムの説明図。
【図４】ワイヤレス通信環境において活用され得る例示的サブフレームの説明図。
【図５】様々な態様に従った例示的な時間シフトされたＵＥ−ＲＳパターンの説明図。
【図６】様々な態様に従った例示的なパンクチャされたＵＥ−ＲＳパターンの説明図。
【図７】様々な態様に従った例示的な部分的に時間シフトされたＵＥ−ＲＳパターンの説明図。
【図８】様々な態様に従った例示的な時間シフトされたＵＥ−ＲＳパターンの説明図。
【図９】旧来型のワイヤレス通信環境において活用され得る例示的サブフレームの説明図。
【図１０】ワイヤレス通信環境においてチャネル推定のために基準信号を送信することを容易にする例示的方法の説明図。
【図１１】ワイヤレス通信環境においてチャネルを推定することを容易にする例示的方法の説明図。
【図１２】ワイヤレス通信環境において基準信号を送信することを可能とする例示的システムの説明図。
【図１３】ワイヤレス通信環境においてチャネルを推定することを可能とする例示的システムの説明図。
【図１４】本明細書中に説明される機能性の様々な態様を実装するために利用され得る例示的システムの説明図。
【図１５】本明細書中に説明される機能性の様々な態様を実装するために利用され得る例示的システムの説明図。
【図１６】本明細書中に説明される様々なシステムおよび方法と関連して用いられ得る例示的ワイヤレス通信システムの説明図。
【発明を実施するための形態】
【００２０】
ここで、特許請求対象の主題の様々な態様が、全体を通じて同様の参照番号が同様の要素を指すために使用される、図面を参照して説明される。以下の説明では、説明の目的のために、多数の具体的な詳細が、１つまたは複数の態様の十分な理解をもたらすために記載される。しかしながら、そのような態様が、これらの具体的な詳細なしに実践され得ることは明らかであり得る。他の例では、周知の構造およびデバイスが、１つまたは複数の態様を説明することを容易にするためにブロック図の形で示される。
【００２１】
本出願中で使用されるように、用語「コンポーネント」、「モジュール」、「システム」などは、コンピュータ関連の実体、ハードウェア、ファームウェア、ハードウェアおよびソフトウェアの組み合わせ、ソフトウェア、または実行中のソフトウェアのいずれか、を指すことを意図している。例えば、コンポーネントは、プロセッサー上で走行するプロセス、プロセッサー、集積回路、オブジェクト、実行ファイル、スレッドの実行、プログラム、および／またはコンピュータであり得るが、限定はされない。説明のために、計算デバイス上で走行するアプリケーションと計算デバイスの両方が、コンポーネントであり得る。１つまたは複数のコンポーネントは、プロセスおよび／またはスレッドの実行の中に置くことができ、またコンポーネントは、１つのコンピュータ上に局所化され、かつ／または２つ以上のコンピュータ間に分散され得る。さらに、これらのコンポーネントは、様々なデータ構造で格納される様々なコンピュータ読み取り可能な媒体から実行することができる。コンポーネントは、１つまたは複数のデータパケット（例えば、ローカルシステム、分散システム内でおよび／またはインターネットなどのネットワークを介して他のシステムと信号により、別のコンポーネントと対話するあるコンポーネントからのデータ）を有する信号に従うなどローカルおよび／またはリモートのプロセスを通じて通信することができる。
【００２２】
本明細書中に記載された様々な技術は、符号分割多重アクセス（ＣＤＭＡ）システム、時分割多重アクセス（ＴＤＭＡ）システム、周波数分割多重アクセス（ＦＤＭＡ）システム、直交周波数分割多重アクセス（ＯＦＤＭＡ）システム、シングルキャリア周波数分割多重アクセス（ＳＣ−ＦＤＭＡ）システム、および他のそのようなシステムなどの、様々なワイヤレス通信システムに使用され得る。用語「システム」および「ネットワーク」はしばしば、ほぼ同じ意味で使用される。ＣＤＭＡシステムは、ユニバーサル地上無線アクセス（ＵＴＲＡ）、ＣＤＭＡ２０００、などの無線技術を実装することができる。ＵＴＲＡには、広帯域ＣＤＭＡ（Ｗ−ＣＤＭＡ）と他の異なった形のＣＤＭＡとが含まれる。ＣＤＭＡ２０００は、ＩＳ−２０００、ＩＳ−９５およびＩＳ−８５６標準を包含する。ＴＤＭＡシステムは、汎欧州デジタル移動電話方式（ＧＳＭ（登録商標））などの無線技術を実装することができる。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡおよびＥ−ＵＴＲＡは、ユニバーサル移動体通信システム（ＵＭＴＳ）の一部である。３ＧＰＰ  ロングタームエボリューション（ＬＴＥ）は、ＯＦＤＭＡをダウンリンク上で、かつＳＣ−ＦＤＭＡをアップリンク上で用いる、Ｅ−ＵＴＲＡを使用するＵＭＴＳの次世代リリースである。ＵＴＲＡ、Ｅ−ＵＴＲＡ、ＵＭＴＳ、ＬＴＥおよびＧＳＭは、「第３世代パートナープロジェクト（３ＧＰＰ）」という名称の組織からの文書の中で説明されている。さらに、ＣＤＭＡ２０００およびＵＭＢは、「第３世代パートナープロジェクト２（３ＧＰＰ２）」という名称の組織からの文書の中で説明されている。さらに、このようなワイヤレス通信システムは、付加的に、しばしば不対無認可スペクトラム（unpaired unlicensed spectrum）、８０２．ｘｘ、ワイヤレスＬＡＮ、ＢＬＵＥＴＯＯＴＨ(登録商標)および任意の他のショートまたはロングレンジワイヤレス通信技術を使用したピアツウピア（例えば、モバイルツウモバイル）アドホックネットワークシステムを含むことができる。
【００２３】
シングルキャリア周波数分割多重アクセス（ＳＣ−ＦＤＭＡ；single carrier frequency division multiple access）は、シングルキャリア変調および周波数領域等価を利用する。ＳＣ−ＦＤＭＡは、ＯＦＤＭＡシステムのものと類似の処理能力および本質的に同一の全体的な複雑性を有する。ＳＣ−ＦＤＭＡ信号は、その固有のシングルキャリア構造故により低いピーク対平均電力比（ＰＡＰＲ(peak-to-average power ratio)）を有する。ＳＣ−ＦＤＭＡは、例えば、より低いＰＡＰＲが送信電力効率の点でＵＥに大きな利益を与えるアップリンク通信において使用され得る。従って、ＳＣ−ＦＤＭＡは、３ＧＰＰ
ロングタームエボリューション（ＬＴＥ）または  Ｅｖｏｌｖｅｄ  ＵＴＲＡにおけるアップリンク多重アクセス方式として実装され得る。
【００２４】
さらに、利用者装置（ＵＥ）に関連した様々な態様が本明細書中で説明される。ＵＥは、音声および／またはデータ接続性を提供するデバイスを指すことができる。ＵＥは、ラップトップコンピュータまたはデスクトップコンピュータなどの計算デバイスに接続され得る、あるいは、携帯情報端末（ＰＤＡ）などの自己完結型デバイスであり得る。ＵＥはまた、システム、加入者ユニット、加入者局、移動局、モバイル、遠隔局、遠隔端末、モバイルデバイス、利用者端末、端末、ワイヤレス通信デバイス、利用者エージェント、利用者デバイス、またはアクセス端末と呼ばれ得る。ＵＥは、携帯電話、コードレス電話機、Ｓｅｓｓｉｏｎ  Ｉｎｉｔｉａｔｉｏｎ  Ｐｒｏｔｏｃｏｌ（ＳＩＰ）電話、ワイヤレスローカルループ（ＷＬＬ(wireless local loop)）局、携帯情報端末（ＰＤＡ）、ワイヤレス接続能力を有する携帯デバイス、計算デバイス、またはワイヤレスモデムに接続された他の処理デバイスであり得る。さらに、基地局に関連した様々な態様が、本明細書中で説明される。基地局は、ＵＥと通信するために利用され得て、アクセスポイント、Ｎｏｄｅ  Ｂ、進化型Ｎｏｄｅ  Ｂ（ｅＮｏｄｅＢ、ｅＮＢ）またはいくつかの他の用語で呼ぶことができる。基地局は、無線インターフェース上で、１つまたは複数のセクターを通じて、ＵＥと通信するアクセスネットワーク内のデバイスを指すことができる。基地局は、受信した無線インターフェースフレームをＩＰパケットに変換することにより、ワイヤレス端末とインターネットプロトコル（ＩＰ）ネットワークを含むことができる、アクセスネットワークの残りの部分との間のルータとして働くことができる。基地局はまた、無線インターフェースに対する属性の管理を調整することができる。
【００２５】
さらに、用語「または（ｏｒ）」は、排他的「または（ｏｒ）」よりはむしろ包括的「または（ｏｒ）」を意味することを意図している。すなわち、特に指定されない、あるいは文脈から明らかでない限り、句「ＸはＡまたはＢを用いる」は、任意の自然な包括的置換を意味することを意図している。すなわち、句「ＸはＡまたはＢを用いる」は、次の例、ＸはＡを用いる、ＸはＢを用いる、またはＸはＡとＢの両方を用いる、のいずれによっても満足される。さらに、本出願および添付の特許請求の範囲の中で使用される冠詞「ａ」および「ａｎ」は、一般的に、単数形が対象とされていることを特に指定されない、あるいは文脈から明らかでない限り、「１つまたは複数」を意味するものと解釈される。
【００２６】
さらに、本明細書中で説明される様々な機能は、ハードウェア、ソフトウェア、ファームウェアまたはこれらの任意の組み合わせ中に実装され得る。ソフトウェア中に実装される場合、機能は、コンピュータ読み取り可能な媒体上に１つまたは複数の命令またはコードとして格納されあるいは転送され得る。コンピュータ読み取り可能な媒体には、コンピュータ記憶媒体と、あるところから別なところへのコンピュータプログラムの転送を容易にする任意の媒体を含む通信媒体の両方が含まれる。記憶媒体は、コンピュータによりアクセスされ得る任意の利用可能な媒体であり得る。例として、かつ限定するものではなく、そのようなコンピュータ読み取り可能な媒体は、ＲＡＭ、ＲＯＭ、ＥＥＰＲＯＭ、ＣＤ−ＲＯＭまたは他の光ディスク記憶デバイス、磁気ディスク記憶デバイスまたは他の磁気記憶デバイス、あるいは、所望のプログラムコードを命令またはデータ構造の形で搬送または格納するために使用され得て、かつコンピュータによりアクセスされ得る任意の他の媒体を含むことができる。また、任意の接続も、コンピュータ読み取り可能な媒体と呼ばれるのが適当である。例えば、ソフトウェアが、同軸ケーブル、光ファイバーケーブル、より線対、デジタル加入者線（ＤＳＬ）、または赤外線、無線およびマイクロウェーブなどのワイヤレス技術を使用して、Ｗｅｂサイト、サーバ、または他の遠隔ソースから転送される場合、同軸ケーブル、光ファイバーケーブル、より線対、ＤＳＬ、または赤外線、無線およびマイクロウェーブなどのワイヤレス技術が、媒体の定義中に含まれる。Ｄｉｓｋおよびｄｉｓｃは、本明細書中で使用されるように、コンパクトディスク（ｄｉｓｃ）（ＣＤ）、レーザーディスク（登録商標）（ｄｉｓｃ）、光ディスク（ｄｉｓｃ）、デジタルバーサタイルディスク（ｄｉｓｃ）（ＤＶＤ）、フロッピー（登録商標）ディスク（ｄｉｓｋ）およびブルーレイディスク（ｄｉｓｃ）（ＢＤ）を含み、ここで、ｄｉｓｋは通常磁気的にデータを再生し、また、ｄｉｓｃはレーザで光によりデータを再生される。上記の組み合わせもまた、コンピュータ読み取り可能な媒体の範囲内に含まれることになる。
【００２７】
様々な態様が、いくつかのデバイス、コンポーネント、モジュールなどを含むことができるシステムに関して示される。様々なシステムが、付加的なデバイス、コンポーネント、モジュールなどを含むことができ、かつ／または、図と関連して説明されるデバイス、コンポーネント、モジュールなどの１つまたは複数が含まれる必要がないことを理解しかつ認識されたい。これらの取り組みの組み合わせもまた使用され得る。
【００２８】
ここで、図１を参照すれば、システム１００が、本明細書中に示される様々な態様に従って示される。システム１００は、複数のアンテナグループを含むことができる基地局１０２を備える。例えば、あるアンテナグループはアンテナ１０４と１０６とを含むことができ、別のグループは、アンテナ１０８と１１０とを備えることができ、また、さらに別のグループはアンテナ１１２と１１４とを含むことができる。２つのアンテナが、各アンテナグループに対して示されているが、より多くのまたはより少ないアンテナが、各グループで利用され得る。基地局１０２は、さらに、送信機チェーンと受信機チェーンとを含むことができ、当業者に理解されるように、これらのそれぞれが、信号送信および受信に関連した複数のコンポーネント（例えば、プロセッサー、変調器、多重化装置、復調器、多重分離装置、アンテナなど）を同様に備え得る。
【００２９】
基地局１０２は、ＵＥ１１６およびＵＥ１２２などの１つまたは複数の利用者装置（ＵＥ）と通信することができるが、しかし、基地局１０２が、ＵＥ１１６およびＵＥ１２２に類似した任意の数のＵＥと実質的に通信することができることを理解されたい。ＵＥ１１６およびＵＥ１２２は、例えば、携帯電話、スマートフォン、ラップトップ、携帯通信デバイス、携帯計算デバイス、衛星ラジオ、グローバルポジショニングシステム、ＰＤＡ、および／またはシステム１００上で通信するための任意の他の適切なデバイスであり得る。図示のように、ＵＥ１１６は、前方向リンク１１８上でＵＥ１１６に情報を送信し、また逆方向リンク１２０上でＵＥ１１６から情報を受信する、アンテナ１１２および１１４と通信状態にある。さらに、ＵＥ１２２は、前方向リンク１２４上でＵＥ１２２に情報を送信し、また逆方向リンク１２６上でＵＥ１２２から情報を受信する、アンテナ１０４および１０６と通信状態にある。周波数分割デュプレックス（ＦＤＤ）システムでは、例えば、前方向リンク１１８は、逆方向リンク１２０により使用されるものと異なる周波数帯域を利用することができ、また、前方向リンク１２４は、逆方向リンク１２６により用いられるものと異なる周波数帯域を用いることができる。さらに、時分割デュプレックス（ＴＤＤ）システムでは、前方向リンク１１８と逆方向リンク１２０とは、共通の周波数帯域を利用することができ、また、前方向リンク１２４と逆方向リンク１２６とは、共通の周波数帯域を利用することができる。
【００３０】
各グループのアンテナおよび／またはそれらが通信するように指定されている領域は、基地局１０２のセクターと呼ばれ得る。例えば、アンテナグループは、基地局１０２により取り扱われる領域のセクター内のＵＥと通信するように指定され得る。前方向リンク１１８および１２４上の通信では、基地局１０２の送信アンテナは、ＵＥ１１６およびＵＥ１２２に対する前方向リンク１１８と１２４との信号対ノイズ比を改善するためにビームフォーミングを利用することができる。また、基地局１０２は、関連したサービス範囲を通じてランダムに散在するＵＥ１１６およびＵＥ１２２に送信するためにビームフォーミングを利用するが、隣接したセル内のＵＥは、単一のアンテナを通じて全てのＵＥに送信する基地局と比べて干渉を少なくすることができる。
【００３１】
システム１００は、ダウンリンクチャネル推定を容易にするためにＵＥ固有基準信号（ＵＥ−ＲＳ）を用いることができる。より詳細には、基地局１０２は、ダウンリンク伝送に利用されるサブフレームにおけるシンボル数を識別することができる。ダウンリンク伝送に利用されるサブフレームにおけるシンボル数は、サブフレームが通常のサブフレームである（例えば、サブフレームの全てのシンボルが、ダウンリンク伝送のために使用される、．．．）か、サブフレームが、ダウンリンクパイロットタイムスロット（ＤｗＰＴＳ (Downlink Pilot Timeslot)）を含むか、サブフレームが、ギャップシンボル(gap symbol)として予約されたサブフレーム中の１つまたは複数のシンボルによりリレーに対してダウンリンク伝送と関連して用いられるか、などに依存して変化する可能性がある。例えば、サブフレームが、ＤｗＰＴＳを含む場合、サブフレームは、ＴＤＤ用のフレーム構造タイプ２を有する無線フレームにおける混合サブフレームであり得る。この例に従えば、混合サブフレームにおける１つまたは複数のシンボルは、ガード期間またはアップリンクパイロットタイムスロット（ＵｐＰＴＳ）に対して割り当てられ得て、従って、混合サブフレームにおけるこれらの１つまたは複数のシンボルは、ＤｗＰＴＳに対しては使用されない、それゆえ、ダウンリンク伝送には使用されない。さらに、基地局１０２は、ダウンリンク伝送に利用されるサブフレームにおけるシンボル数に対応したＵＥ−ＲＳパターンの関数としてサブフレームのリソースエレメント（ＲＥ）にＵＥ−ＲＳをマッピングすることができる。
【００３２】
例えば、通常のサブフレームに対して、基地局１０２は、第１のＵＥ−ＲＳパターンに基づきサブフレーム中のＲＥにＵＥ−ＲＳをマッピングすることができる。さらに、通常のサブフレームと比較して少ないサブフレームのシンボルが、ダウンリンク伝送に利用される（例えば、サブフレームにおける少なくとも１つのシンボルがダウンリンク伝送に使用されない、．．．）場合、基地局１０２は、第２のＵＥ−ＲＳパターンに基づきサブフレーム中のＲＥにＵＥ−ＲＳをマッピングすることができる。第１のＵＥ−ＲＳパターンは、複数の周波数領域コンポーネントと複数の時間領域コンポーネントとを含むことができる。第１のＵＥ−ＲＳパターンにおける複数の時間領域コンポーネントの少なくとも１つは、第２のＵＥ−ＲＳパターン中で変更され得る。例えば、第１のＵＥ−ＲＳパターンにおける複数の時間領域コンポーネントの１つは、第２のＵＥ−ＲＳパターン内で時間シフトされ得る。別の例によれば、第１のＵＥ−ＲＳパターンにおける複数の時間領域コンポーネントは、第２のＵＥ−ＲＳパターン中で時間シフトされ得る。この例に従えば、第１のＵＥ−ＲＳパターンにおける複数の時間領域コンポーネントは、共通の数のシンボル分またはそれぞれ異なる数のシンボル分時間シフトされ得る。別の例に従えば、第１のＵＥ−ＲＳパターンにおける複数の時間領域コンポーネントの１つは、第２のＵＥ−ＲＳパターン中でパンクチャされ得る。さらに、第２のＵＥ−ＲＳパターンは、第１のＵＥ−ＲＳパターンと比較して同一の周波数領域コンポーネントを有することができる。
【００３３】
ここで図２に転じると、様々な態様に従ってダウンリンクチャネル推定を容易にするためにＵＥ−ＲＳを用いる例示的ワイヤレスネットワーク２００が示されている。ワイヤレスネットワーク２００は、ワイヤレスネットワーク上で互いに通信するワイヤレスデバイス２０２とワイヤレスデバイス２２０とを含む。ある例では、ワイヤレスデバイス２０２および／またはワイヤレスデバイス２２０は、マクロセルアクセスポイント、フェムトセルまたはピコセルアクセスポイント、ｅＮＢ、モバイル基地局、これらの一部、および／またはワイヤレスネットワークへのアクセスを提供する実質的に任意のデバイスまたは装置などの、アクセスポイントであり得る。別の例では、ワイヤレスデバイス２０２および／またはワイヤレスデバイス２２０は、ＵＥ、それらの一部、および／またはワイヤレスネットワークへのアクセスを受ける実質的に任意のデバイスまたは装置などの、モバイルデバイスであり得る。
【００３４】
ワイヤレスデバイス２０２は、ワイヤレスデバイス２２０とデータを送信すること／受信することを容易にするために複数の通信レイヤーを備えることができる。例えば、ワイヤレスデバイス２０２は、パケットヘッダーを圧縮し、かつデータの暗号化および完全性保護を容易にすることができる、パケットデータコンバージェンスプロトコル（ＰＤＣＰ (packet data convergence protocol)）モジュール２０６を含むことができる。ワイヤレスデバイス２０２はまた、セグメンテーション／連結、再送操作、および高位レイヤーへの連続配信を達成する、無線リンク制御（ＲＬＣ(radio link control)）モジュール２０８と、論理チャネル多重化、ハイブリッド自動再送要求（ＨＡＲＱ(hybrid automatic repeat request）再送、スケジューリングを規定する、媒体アクセス制御（ＭＡＣ）モジュール２１０と、符号化／復号化、変調／復調、およびアンテナ／リソースマッピングを管理する、物理レイヤーモジュール２１２と、を含むことができる。同様に、同一または類似の機能を提供する、ワイヤレスデバイス２２０は、ＰＤＣＰモジュール２２４と、ＲＬＣモジュール２２６と、ＭＡＣモジュール２２８と、物理レイヤーモジュール２３０と、を含むことができる。
【００３５】
ある例によれば、ワイヤレスデバイス２０２は、ワイヤレスチャネルを通じてインターネットプロトコル（ＩＰ）パケット２０４をワイヤレスデバイス２２０に送信することができる。ワイヤレスチャネルは、ダウンリンクチャネルまたはアップリンクチャネルであり得る。ワイヤレスデバイス２０２の高位レイヤー（図示されない）は、１つまたは複数のデバイスに送信するためにＩＰパケット２０４を生成するか、そうでなければＩＰパケット２０４を受信することができる。高位レイヤーには、アプリケーションレイヤー、ＩＰレイヤーなどが含まれ得る。ＰＤＣＰモジュール２０６は、ＩＰパケット２０４を高位レイヤーから受け取り、１つまたは複数のＰＤＣＰサービスデータユニット（ＳＤＵ(service data unit)）を生成することができる。ＰＤＣＰモジュール２０６は、ＩＰパケット２０４のＩＰヘッダー圧縮を行うことができる。加えて、ＰＤＣＰモジュール２０６は、ＩＰパケット２０４を暗号化し、かつ／またはＩＰパケット２０４の完全性保護を提供することができる。ＰＤＣＰモジュール２０６はさらに、圧縮されかつ暗号化されたＩＰパケット２０４（例えば、ＰＤＣＰ  ＳＤＵ）を少なくともＰＤＣＰ  ＳＤＵに関連したシーケンス番号を含むＰＤＣＰヘッダーと結合することによりＰＤＣＰプロトコルデータユニット（ＰＤＵ(protocol data unit）を生成することができる。ＰＤＣＰ  ＰＤＵは、ＲＬＣヘッダーに従って１つまたは複数のＰＤＣＰ  ＰＤＵをＲＬＣ  ＰＤＵに分割および連結することができる、ＲＬＣモジュール２０８に提供され得る。例えば、リソーススケジューリングの決定に基づき、ＲＬＣ  ＰＤＵを生成するために１つまたは複数のＰＤＣＰ  ＰＤＵを分割および連結する、ＲＬＣモジュール２０８により管理されるＲＬＣバッファから特定の量のデータが送信のために選択される。
【００３６】
ＲＬＣモジュール２０８は、ＭＡＣレイヤーサービス（例えば、多重化、ＨＡＲＱ再送、スケジューリング、．．．）を論理チャネルの形でＲＬＣモジュール２０８に提供する、ＭＡＣモジュール２１０にＲＬＣ  ＰＤＵを供給する。論理チャネルは、搬送される情報の形式に基づいて特徴付けられ得る。例えば、ＭＡＣモジュール２１０により提供される論理チャネルは、システム情報をワイヤレスネットワークからモバイルデバイスに搬送する、ブロードキャスト制御チャネル（ＢＣＣＨ）と、ページングモバイルデバイスに対して利用されるページング制御チャネル（ＰＣＣＨ）と、ランダムアクセスに関連した制御情報を搬送する、共通制御チャネル（ＣＣＣＨ）と、モバイルデバイスへおよび／またはモバイルデバイスから制御情報を搬送する、個別制御チャネル（ＤＣＣＨ(dedicated control channel)）と、モバイルデバイスにおよび／またはモバイルデバイスからの利用者データに利用される個別通信チャネル（ＤＴＣＨ(dedicated traffic channel)）と、マルチメディアブロードキャストマルチキャストサービスの伝送を行う、マルチキャストトラヒックチャネル（ＭＴＣＨ）に関連した制御情報を搬送するために利用されるマルチキャスト制御チャネル（ＭＣＣＨ）と、含むことができる。
【００３７】
物理レイヤーモジュール２１２により提供されるサービスを表現する、ＭＡＣモジュール２１０は、論理チャネルをトランスポートチャネルにマッピングすることができる。トランスポートチャネル上のデータは、トランスポートブロックにまとめられる。所与の伝送時間間隔（ＴＴＩ）に対して、１つまたは複数のトランスポートブロックが無線インターフェース上で送信される。ある例では、ＭＡＣモジュール２１０は、ＲＬＣ  ＰＤＵを１つまたは複数のトランスポートブロックに多重化する。
【００３８】
トランスポートブロックは、符号化、変調、マルチアンテナ処理、および／または信号の物理的時間−周波数リソース（例えば、ＲＥ、．．．）へのマッピングを容易にする、物理レイヤーモジュール２１２に供給され得る。ある例によれば、物理レイヤーモジュール２１２は、誤り検出を容易にするために巡回冗長検査（ＣＲＣ）をトランスポートブロックに導入することができる。加えて、物理レイヤーモジュール２１２は、トランスポートブロックのビットを符号化する符号化モジュール２１４を含むことができる。ある例では、ターボ符号化が、符号化モジュール２１４で用いられ得る。物理レイヤーモジュール２１２は、符号化されたビットを変調してシンボルを生成する変調モジュール２１６を含むことができる。物理レイヤーモジュール２１２は、マッピングモジュール２１８を利用して、送信ダイバーシティ、ビームフォーミングおよび／または空間多重化などの異なるマルチアンテナ伝送方式を提供するようにアンテナを構成することができる。加えて、マッピングモジュール２１８は、空間上で伝送を可能とするためにシンボルを物理的リソースエレメントにマッピングすることができる。
【００３９】
ワイヤレスデバイス２０２は、１つまたは複数のアンテナ２４０を利用して、アンテナ２５０を通じて伝送を受けることができる、ワイヤレスデバイス２２０にＩＰパケット２０４を送信することができる。図２はそれぞれワイヤレスデバイス２０２とワイヤレスデバイス２２０とに関連した２つのアンテナを示しているが、ワイヤレスデバイス２０２およびワイヤレスデバイス２２０が、実質的に任意の数のアンテナを具備できることを理解されたい。ワイヤレスデバイス２０２からのＩＰパケット２０４の受信後、ワイヤレスデバイス２２０は、物理レイヤーモジュール２３０を用いて伝送を復号化し、かつ復調することができる。例えば、物理レイヤーモジュール２３０は、ＲＥをデマップして１組のシンボルを回復するデマッピング（demapping）モジュール２３６を含むことができる。物理レイヤーモジュール２３０はまた、１組のシンボルを復調して１組の符号化されたビットを回復する、復調モジュール２３４を用いることができる。加えて、復号化モジュール２３２は、１組の符号化されたビットを復号してトランスポートブロックを生成するために物理レイヤーモジュール２３０内に含まれる。トランスポートブロックは、ＭＡＣモジュール２２８に供給されて、必要であれば、誤り（例えば、復号化誤り、伝送誤り、．．．）に起因した、ＨＡＲＱ再送を管理し、かつ１つまたは複数のＲＬＣ  ＰＤＵを生成するためにＭＡＣの多重分離を容易にすることができる。１つまたは複数のＲＬＣ  ＰＤＵは、再組み立てのためにＲＬＣモジュール２２６に供給され得る。例えば、ＲＬＣ  ＰＤＵは、１つまたは複数のＲＬＣ  ＳＤＵおよび／またはそれらの一部を備えることができる。従って、ＲＬＣモジュール２２６は、ＲＬＣ  ＰＤＵからＲＬＣ  ＳＤＵを再構築する。再組み立てされたＲＬＣ  ＳＤＵは、ＲＬＣ  ＳＤＵを非暗号化しかつ非圧縮化してＩＰパケット２２２などの１つまたは複数のデータパケットを回復する、ＰＤＣＰモジュール２２４により処理され得る。
【００４０】
ワイヤレスデバイス２２０が、ワイヤレスデバイス２０２と類似の機能および／または類似のモジュールを利用してデータパケットをワイヤレスデバイス２０２に送信できることが理解されよう。さらに、ワイヤレスデバイス２０２は、ワイヤレスデバイス２２０に関連して上記に説明された類似のモジュールおよび／または機能を用いてワイヤレスデバイス２２０などの異なるデバイスからの伝送を受けることができる。
【００４１】
ワイヤレスデバイス２０２がＩＰパケット２０４をワイヤレスデバイス２２０に送信する例によれば、ワイヤレスデバイス２２０は、ダウンリンクチャネルの推定を利用して、ＩＰパケット２０４を送信するために用いられるダウンリンク物理チャネルのコヒーレント復調を容易にすることができる。チャネル推定を可能とするために、ワイヤレスデバイス２０２は、ワイヤレスデバイス２２０への伝送中に基準信号を含めることができる。ある例では、ワイヤレスデバイス２０２は、伝送がＯＦＤＭ伝送である場合に基準信号を組み込む。例えば、ワイヤレスデバイス２０２は、物理レイヤーモジュール２１２および／またはマッピングモジュール２１８を用いて、ワイヤレスデバイス２２０への伝送に対応したＴＴＩ内のリソースエレメントに基準信号をマッピングすることができる。ある態様では、基準信号は、多くのダウンリンクサブフレーム内で送信され得て、かつダウンリンクの帯域幅全体に広げることができる、セル固有基準信号（ＣＲＳ）であり得る。基準信号はまた、特定の受信デバイスまたは受信デバイスのグループ向けを意図したサブフレームおよびリソースブロック中で送信される、ＵＥ−ＲＳであっても良い。
【００４２】
再度、ワイヤレスデバイス２０２がワイヤレスデバイス２２０に送信する例を参照する。ワイヤレスデバイス２２０がそのような伝送に対するチャネル推定を生成することを可能とするために、ＵＥ−ＲＳは、同様の方法でデータ伝送として組み込まれかつビームフォーミングされる。ある例では、ワイヤレスデバイス２０２は、物理レイヤーモジュール２１２を利用して、ＵＥ−ＲＳを生成することができ、かつマッピングモジュール２１８は、ＵＥ−ＲＳパターンに従って特定のＲＥにＵＥ−ＲＳを挿入することができる。
【００４３】
ある例によれば、ＵＥ−ＲＳパターンは、サブフレームに含まれる一対のリソースブロック（ＲＢ）（例えば、ＲＥのグループ、．．．）に渡って広げることができる。一対のＲＢは、１つのサブフレームの持続時間（例えば、１ｍｓ、．．．）を有し、かつ１２サブキャリアに広がる時間−周波数グリッドとして提供され得る。サブフレームは、用いられる周期的プレフィクスに応じて、それぞれが６または７シンボル長である、２つのスロットを含むことができる。この点において、１対のＲＢは、ＲＥの１２×１２のグリッドまたは１２×１４のグリッドを備えることができる。しかしながら、他のＲＢの定義が、提供され得て、さらに、以下に説明されるＵＥ−ＲＳパターンがＲＢ定義を変更して利用され得ることが理解されよう。
【００４４】
別の態様では、ダウンリンク伝送に用いられるＵＥ−ＲＳパターンは、ダウンリンク伝送に利用されるサブフレームにおけるシンボル数の関数であり得る。ある例によれば、通常のサブフレームがダウンリンク伝送に利用される場合、第１のＵＥ−ＲＳパターンが活用され得る。この例に従えば、第１のＵＥ−ＲＳパターンは、サブフレームの全てのシンボルが、ダウンリンク伝送のために使用される（例えば、通常のサブフレーム、通常の周期的プレフィクスを用いる場合に、サブフレームにおける１４のシンボルがダウンリンク伝送のために使用される、．．．）場合に、用いられ得る。別の例によれば、サブフレームの１つまたは複数のシンボルが、ダウンリンク伝送に使用されない場合、第２のＵＥ−ＲＳパターンが、活用され得る。この例によれば、サブフレームがＤｗＰＴＳを含む場合、サブフレームの１つまたは複数のシンボルが、ダウンリンク伝送に使用されない。あるいは、サブフレームが、ギャップシンボルとして予約されているサブフレーム中の１つまたは複数のシンボルを伴ってリレーに対するダウンリンク伝送に関連して用いられる場合には、サブフレームの１つまたは複数のシンボルは、ダウンリンク伝送に使用されない。例えば、通常の周期的プレフィクスを使用する場合、第２のＵＥ−ＲＳパターンは、１４シンボルより少ないサブフレームがダウンリンク伝送に使用される場合に活用され得る。
【００４５】
ダウンリンク伝送に用いられない少なくともシンボルのサブセットを有するサブフレームに使用される第２のＵＥ−ＲＳパターンは、通常のサブフレームに使用される第１のＵＥ−ＲＳパターンと異なり得る。例えば、第２のＵＥ−ＲＳパターンは、ダウンリンク伝送用に構成されたシンボル数を考慮に入れることができるが、しかしながら、特許請求対象の主題がそのように限定されないことを理解されたい。別の例によれば、少なくともサブフレームにおけるシンボルのサブセットがダウンリンク伝送に用いられない場合に利用される第２のＵＥ−ＲＳパターンは、通常のサブフレームに用いられる第１のＵＥ−ＲＳパターンに基づき得る。本例に従えば、通常のサブフレームに使用される第１のＵＥ−ＲＳパターンは、ダウンリンク伝送に用いられない少なくともシンボルのサブセットを有するサブフレームに使用される第２のＵＥ−ＲＳパターンを取得するために時間シフトされ、かつ／またはパンクチャされ得る。
【００４６】
さらにシステム２００に示されるように、ワイヤレスデバイス２０２は、ＰＤＣＰモジュール２０６、ＲＬＣモジュール２０８、ＭＡＣモジュール２１０および物理レイヤーモジュール２１２のいくつかまたは全ての機能を実装するために利用され得る、プロセッサー２１７および／またはメモリー２１９を含むことができる。同様に、図２は、ワイヤレスデバイス２２０もまた、ＰＤＣＰモジュール２２４、ＲＬＣモジュール２２６、ＭＡＣモジュール２２８および物理レイヤーモジュール２３０のいくつかまたは全ての機能を実装するために用いられ得る、プロセッサー２３７および／またはメモリー２３９を含むことができることを示す。ある例では、メモリー２１９および／または２３９は、本明細書に説明されるようにＵＥ−ＲＳの利用を達成するコンピュータプログラム製品を保持することができる。
【００４７】
次に、図３を参照すると、ワイヤレス通信環境においてサブフレーム内のＲＥにＵＥ−ＲＳをマッピングするシステム３００が示されている。システム３００は、ＵＥ３０４と通信することができる基地局３０２を含む。基地局３０２およびＵＥ３０４が図３に描かれているが、システム３００が任意の数の基地局および／またはＵＥを含むことができることが理解されよう。ある態様に従えば、基地局３０２は、前方向リンクまたはダウンリンクチャネル上でＵＥ３０４に情報を送信することができ、ＵＥ３０４は、逆方向リンクまたはアップリンクチャネル上で基地局３０２に情報を送信することができる。システム３００が、ＯＦＤＭＡワイヤレスネットワーク、ＣＤＭＡネットワーク、３ＧＰＰ  ＬＴＥまたはＬＴＥ−Ａワイヤレスネットワーク、３ＧＰＰ２  ＣＤＭＡ２０００ネットワーク、ＥＶ−ＤＯネットワーク、ＷｉＭＡＸネットワークなどにおいて作動できることが理解されよう。
【００４８】
基地局３０２は、アップリンクおよびダウンリンク伝送に対応するためにＵＥ３０４などの１つまたは複数のＵＥに無線リソースを予定しかつ割り当てるスケジューラ３０６を備えることができる。ある例では、スケジューラ３０６は、ダウンリンク伝送のために１つまたは複数のリソースブロックをＵＥ３０４に割り当てることができる。１つまたは複数のリソースブロックは、同一のサブフレーム内にある、または異なるサブフレーム内に置かれ得る。
【００４９】
スケジューラ３０６は、様々な型式のサブフレームにおける無線リソースをダウンリンク伝送のためにＵＥ３０４に割り当てることができる。例えば、スケジューラ３０６は、通常のサブフレームから無線リソースをＵＥ３０４に割り当てることができ、従って、ＵＥ３０４に割り当てられる通常のサブフレームにおける全てのシンボル上の無線リソースは、ダウンリンク伝送に使用され得る。別の例によれば、スケジューラ３０６は、ＤｗＰＴＳを含むサブフレームにおける無線リソースをＵＥ３０４に割り当てることができる。この例に従えば、ＤｗＰＴＳを含むサブフレームにおけるシンボルのサブセット上の無線リソースは、ダウンリンク伝送に使用され得るが、そのようなサブフレームにおけるシンボルの残余上の無線リソースは、ダウンリンク伝送には使用されない（例えば、代わりに、ガード期間またはＵｐＰＴＳの一部としてアップリンク伝送のために使用され得る）。
【００５０】
示されてはいないが、別の例によれば、システム３００がリレーを含むことができることもまた考えられる。ダウンリンク上で、基地局３０２は、リレーに送信することができ、かつリレーは、リレーに関連したＵＥに送信することができる。同様に、アップリンク上で、リレーに関連したＵＥは、リレーに送信することができ、かつリレーは、基地局３０２に送信することができる。一般に、リレーは、同時に送信および受信することができない可能性がある（例えば、通常のサブフレームの間に、．．．）。従って、基地局３０２が、所与のサブフレームの一部としてダウンリンク上でパケットを送信する場合、リレーは、基地局３０２により送信されたパケットを受信することができる（例えば、ある遅延の後、．．．）。その後、リレーは、後続のサブフレームの一部としてダウンリンク上でリレーと関連したＵＥにパケットを運ぶことができる。従って、リレーは、第１のサブフレームの間パケットを接続待ちする（listen）ことができ、そこで、第２のサブフレームの間にパケットの伝送に切り替えることができる。しかしながら、送信するために接続待ちから切り替えるには、時間がかかり得て、従って、第１のサブフレームにおける最後の１つまたは２つ（あるいはそれ以上）のシンボルが、バックホールリレー接続を担うためにギャップシンボルとして予約され得る。従って、スケジューラ３０６は、ギャップシンボルとして予約されたサブフレーム中の１つまたは複数のシンボルによりリレーに対するダウンリンク伝送に関連して用いられるサブフレームにおける無線リソースを割り当てることができ、従って、サブフレームにおけるシンボルのサブセット上の無線リソースは、ダウンリンク伝送に使用され得ると共に、サブフレームにおけるシンボルの残余上の無線リソースは、ギャップシンボルとして予約され得る。
【００５１】
さらに、基地局３０２は、パターン選択モジュール３０８と個別基準信号モジュール３１０とを含むことができる。個別基準信号モジュール３１０は、ＵＥ３０４への伝送のためにスケジューラ３０６により割り当てられたサブフレームにおけるＵＥ−ＲＳを生成しかつ無線リソース中に挿入することができる。個別基準信号モジュール３１０は、ＵＥ−ＲＳを生成し、かつ／またはパターン選択モジュール３０８により選択されたＵＥ−ＲＳパターンに従って１つまたは複数のＲＥにＵＥ−ＲＳをマッピングすることができる。
【００５２】
パターン選択モジュール３０８は、個別基準信号モジュール３１０により用いられるようにＵＥ−ＲＳパターンを選択することができる。パターン選択モジュール３０８は、スケジューラ３０６によりダウンリンク伝送に割り当てられたサブフレームにおけるシンボル数の関数としてＵＥ−ＲＳパターンを選択することができる。例えば、ＤｗＰＴＳを含むサブフレームに対してパターン選択モジュール３０８により選択されたＵＥ−ＲＳパターンは、通常のサブフレームに対してパターン選択モジュール３０８により選択されたＵＥ−ＲＳパターンとは異なり得る。ＤｗＰＴＳは、サブフレームわずかにのみ広げることができ、ダウンリンク伝送では、ＤｗＰＴＳ中に含まれるシンボルを利用することができる。別の例によれば、パターン選択モジュール３０８は、ＤｗＰＴＳ用に構成されたサブフレームのシンボル数を考慮に入れることができる（例えば、スケジューラ３０６により管理されるというように、．．．）。以下の表は、異なる構成（ｃｏｎｆ）用の通常のおよび拡張された両周期的プレフィクス（ＣＰ）サブフレーム（例えば、リリース８用、．．．）中のＤｗＰＴＳを備えるシンボル数を示す。３シンボルのＤｗＰＴＳに対しては、物理ダウンリンク共有チャネル（ＰＤＳＣＨ(physical downlink shared channel)）伝送はなく、従って、ＤｗＰＴＳに対する３シンボルより大きいシナリオが取り組まれ得ることに留意されたい。
【表１】
0005940641.tif 000002
【００５３】
図によれば、ＤｗＰＴＳ用のパターン選択モジュール３０８により選択されまたは生み出されたＵＥ−ＲＳパターンは、通常のサブフレームに対するＵＥ−ＲＳパターンに基づくことができる。従って、ＤｗＰＴＳに対するＵＥ−ＲＳパターンは、通常のサブフレームに対するＵＥ−ＲＳパターンを時間シフトする、かつ／またはパンクチャするパターン選択モジュール３０８により得られ得る。例えば、通常のサブフレームに対してＵＥ−ＲＳパターンをパンクチャすることは、ＤｗＰＴＳの一部である通常のサブフレームに対するＵＥ−ＲＳパターンの時間領域コンポーネント（例えば、シンボルに属する、．．．）を保持することを指すことができる。さらに、通常のサブフレームに対してＵＥ−ＲＳパターンをシフトすることのタイミングをとることは、通常のサブフレームに対するＵＥ−ＲＳパターンの時間領域コンポーネントを所定の値（例えば、シンボル数、．．．）だけ時間的にシフトすることを指すことができる。ある例によれば、通常のサブフレームに対するＵＥ−ＲＳパターンの全ての時間領域コンポーネントは、所定の値だけ時間シフトされ得る。さらなる例によれば、通常のサブフレームに対するＵＥ−ＲＳパターンの時間領域コンポーネントのサブセットは、所定の値だけ時間シフトされ得るが、通常のサブフレームに対するＵＥ−ＲＳパターンの他の時間領域コンポーネントは、シフトされない、異なる値だけシフトされるなどをなし得る。従って、パターン選択モジュール３０８は、例えば、通常のサブフレームに対するＵＥ−ＲＳパターンを時間シフトする、かつ／またはパンクチャすることによりＤｗＰＴＳを含むサブフレームに対するＵＥ−ＲＳパターンを得ることができる。パターン選択モジュール３０８により達成される上記動作の簡単かつ通常の構造は、システム３００の実装を簡単化するために使用され得る。
【００５４】
さらに、ＤｗＰＴＳ中の制御シンボルの最大数は２であり得る。従って、パターン選択モジュール３０８は、ＤｗＰＴＳを含むサブフレームを生成する場合に、ＤｗＰＴＳを含むサブフレームの端に向かって通常のサブフレームに対するＵＥ−ＲＳパターンをシフトすることができる。さらに、パターン選択モジュール３０８は、構成されたいくつかの制御シンボルに応じて通常のサブフレームに対するＵＥ−ＲＳパターンをシフトすることができる。別の例によれば、通常のサブフレーム内に構成された制御シンボルの数と独立な固定のＵＥ−ＲＳパターンが、パターン選択モジュール３０８により利用され得る。
【００５５】
パターン選択モジュール３０８により達成されるパンクチャリングおよび時間シフト操作は、プライマリ同期信号（ＰＳＳ(primary synchronization signal)）、物理ブロードキャストチャネル（ＰＢＣＨ(Physical Broadcast Channel)）、２次同期信号（ＳＳＳ）など、異なる信号およびチャネルと衝突する可能性があるＲＢに対するＵＥ−ＲＳパターンに適用され得る。さらに、パターン選択モジュール３０８により達成されるパンクチャリングおよび時間シフト操作は、ギャップシンボルとしてサブフレームの１つまたは２つ（またはそれより多く）継続するシンボルを予約することが望まれ得る、バックホールリレー接続のためのＵＥ−ＲＳパターンを設計するために使用され得る。しかしながら、特許請求対象の主題は、前述のものに限定されないことを理解されたい。
【００５６】
システム３００がリレーを含む例によれば、リレーが、基地局３０２からのダウンリンク受信からリレーに関連したＵＥへのダウンリンク伝送に切り替える場合に、リレーは、サブフレームにおける最後の１つまたは２つ（またはそれより多く）のシンボルを失う可能性があり、そこで、これらの１つまたは２つ（またはそれより多く）のシンボルが、ギャップシンボルとして予約され得る。従って、リレーとＵＥ３０４の両方が、基地局３０２により（例えば、スケジューラ３０６により、．．．）予定されている通常のサブフレーム上で、パターン選択モジュール３０８は、ＵＥ３０４に対しては第１のＵＥ−ＲＳパターン（例えば、通常のＵＥ−ＲＳパターン、．．．）を、またリレーに対しては第２のＵＥ−ＲＳパターン（例えば、パンクチャされた、時間シフトされた、．．．）を使用することができる。従って、ダウンリンク伝送がＵＥまたはリレーのいずれに送信されるかにより、ＵＥ−ＲＳパターンが、パターン選択モジュール３０８により選択され得る。
【００５７】
サブフレームにおける無線リソースは、組み込まれたＵＥ−ＲＳと共に、ＵＥ３０４に送信され得る。ＵＥ３０４は、ＵＥ３０４に割り当てられている１つまたは複数のサブフレーム中の１つまたは複数のリソースブロックを識別する割り当て解析モジュール３１２を含むことができる。割り当て解析モジュール３１２は、物理ダウンリンク制御チャネル（ＰＤＣＣＨ）などの、制御チャネル上に含まれる制御情報を解析して、１つまたは複数のリソースブロックを識別することができる。加えて、割り当て解析モジュール３１２は、ＵＥ３０４へのダウンリンク伝送に利用されるサブフレームのシンボル数を識別することができる。
【００５８】
１つまたは複数のリソースブロックの受信後、ＵＥ３０４は、基準信号評価モジュール３１４を用いて１つまたは複数のリソースブロックからＵＥ−ＲＳを抽出することができる。ある例では、基準信号評価モジュール３１４は、基地局３０２により用いられるＵＥ−ＲＳパターンの情報により１つまたは複数のリソースブロック中に挿入されたＵＥ−ＲＳを識別することができる。ＵＥ−ＲＳは、ＵＥ−ＲＳに関連した１つまたは複数のリソースブロック中のデータの復調を容易にするためにチャネル推定を生成する、チャネル推定モジュール３１６に供給され得る。
【００５９】
図４〜８を参照すれば、本明細書に記載された様々な態様に従って利用され得るＵＥ−ＲＳパターンが示されている。説明を簡単化する目的で、ＵＥ−ＲＳパターンは、各リソースブロックが、周波数領域中の１２のサブキャリアと時間領域中に７つのシンボルを有する１つのスロットとを備える、一対のリソースブロックとの関連で示され、説明される。あるリソースブロック対は、１つまたは複数の実施形態によれば、異なる次元（例えば、異なる数のサブキャリアおよび／または異なる持続時間（シンボル数））を含むことができるので、ＵＥ−ＲＳパターンが、図示のリソースブロック対の制約により限定されないことを理解かつ認識されたい。さらに、本明細書中に図示され説明されたリソースブロック対は、周波数領域内で、各サブキャリアに対応した索引により、索引付けられる。図４〜８に示すように、サブキャリアは、上部またはより高い周波数のサブキャリアで始まる１から１２までにより索引付けられている。加えて、リソースブロック対は、時間領域内で、サブフレーム内でサブフレームの先頭から始まる１から１４までの各シンボル（例えば、ＯＦＤＭシンボル、．．．）に対応した索引により、索引付けられる。構造は、本明細書に示された索引付けの約定に限定されず、他の約定が用いられ得ることを理解されたい。例えば、当業者は、リソースブロック対が、リソースブロックに対する他のラベル付けされた約定で表され得ることを理解かつ認識するであろう。さらに、図４〜８に図示された構造が、時間領域および／または周波数領域内の基準シンボル位置をシフトすることにより生成された等価的構造を包含することを意図することを理解されたい。
【００６０】
図４に転じると、ワイヤレス通信環境において活用され得る例示的サブフレーム４００が示されている。サブフレーム４００は、通常の周期的プレフィクス（ＣＰ）に対して使用され得る。サブフレーム４００が例として提供され、かつ特許請求対象の主題が、そのように限定されないことを理解されたい。
【００６１】
サブフレーム４００は、１ｍｓの持続時間を有し、かつ、２つのスロット（例えば、それぞれが０．５ｍｓの持続時間を有する、．．．）を含むことができる。図示の例では、サブフレーム４００のスロットは、通常のＣＰ長の場合には７シンボルを含むことができ、従って、サブフレーム４００は、１４シンボルを含むことができる。別の例によれば、拡張されたＣＰを用いるサブフレーム（示されない）が、それぞれが６シンボルを含むことができる２つのスロットを含み得ることが考慮される。しかしながら、特許請求対象の主題が、前述の例に限定されないことを理解されたい。
【００６２】
周波数領域では、サブフレーム４００のリソースは、１２のサブキャリア（例えば、１８０ｋHz、．．．）を単位としてグループ化され得る。１つのスロットの持続時間（例えば、０．５ｍｓ、．．．）に対する１２のサブキャリアの単位は、リソースブロック（ＲＢ）（例えば、例ではＲＢ４０２である、．．．）と呼ばれ得る。サブフレーム４００は、一対のＲＢを含む。リソースの最小単位は、１つのシンボルの持続時間に対して１つのサブキャリアであり得る、リソースエレメント（ＲＥ）と呼ばれ得る（例えば、例ではＲＢ４０２に含まれるＲＥ４０４である、．．．）。ＲＢは、通常のＣＰに対して８４（または拡張されたＣＰに対しては７２）のＲＥを含むことができる。
【００６３】
ある例によれば、サブフレーム４００は、通常のサブフレームであり得る。この例に従えば、サブフレーム４００の最初の３シンボルまでは、制御シンボルであり得る（例えば、サブフレーム４００の最初の１つ、２つまたは３つのシンボルは、制御シンボルであることができ、残りのシンボルは、データ用に利用され得る、．．．）。別の例によれば、サブフレーム４００は、ＤｗＰＴＳを含むサブフレームであり得て、従って、サブフレーム４００の最初の２つのシンボルまでは、制御シンボルであり得る。ＵＥ−ＲＳがサブフレームのデータ部の中で送信されることに留意されたい。
【００６４】
サブフレーム４００中のＲＥは、ＣＲＳおよびＵＥ−ＲＳを搬送することができる。例えば、ＣＲＳ（例えば、ある例ではＣＲＳ４０６である、．．．）は、サブフレーム４００の第１、第２、第５、第８、第９および第１２シンボル上のＲＥにマッピングされ得る。しかしながら、ＣＲＳの他のマッピングが、本明細書に添付の特許請求の範囲内に含まれることを意図しているので、特許請求対象の主題が、この例に限定されないことを理解されたい。
【００６５】
さらに、ＵＥ−ＲＳは、本明細書に記載のＵＥ−ＲＳパターンに従ってＲＥにマッピングされ得る。ＵＥ−ＲＳパターンは、複数のレイヤーに対して定義され得る。ＵＥ−ＲＳパターン内の複数のレイヤーは、符号分割多重化（ＣＤＭ）／周波数分割多重化（ＦＤＭ）および／または時分割多重化（ＴＤＭ）の組み合わせを使用して多重化され得る。例えば、ＵＥ−ＲＳパターンは、２つのレイヤーまで担うことができる。従って、ＵＥ−ＲＳパターンは、ＣＤＭグループが時間的に２つの連続したＲＥにマッピングされる（例えば、ある例ではＣＤＭグループ４０８である、．．．）、複数のＣＤＭグループを含むことができる。従って、２つのレイヤーのパイロットは、２つの時間的に連続したＲＥ上に直交多重化され得る。各レイヤーは、拡散シーケンスを割り当てられ得て、各レイヤーに対するＵＥ−ＲＳは、割り当てられた拡散シーケンスを使用して他のレイヤーにより共有される１組のＲＥ上に拡散され得る。さらに、割り当てられた拡散シーケンスは、クロストークを最小化するために直交するように選択され得る。
【００６６】
図４は、通常のサブフレームに対するＵＥ−ＲＳパターンを示す。通常のサブフレームに対するＵＥ−ＲＳパターンは、周波数領域コンポーネントと時間領域コンポーネントとを含む。周波数領域コンポーネントは、同一のサブキャリア上の全てのＣＤＭグループを指すことができ、従って、通常のサブフレームに対する示されたＵＥ−ＲＳパターンは、３つの周波数領域コンポーネント（例えば、周波数内の３つのルック（look）、．．．）を含む。さらに、時間領域コンポーネントは、同一の組みのシンボル上の全てのＣＤＭグループを指すことができる。通常のサブフレームに対して図示されたＵＥ−ＲＳパターンは、２つの時間領域コンポーネント（例えば、時間内の２つのルック、．．．）を含み、ここで、１つの時間領域コンポーネントは、サブフレーム４００におけるシンボル６と７上に３つのＣＤＭグループを含み、別の時間領域コンポーネントは、サブフレーム４００におけるシンボル１３と１４上の３つのＣＤＭグループを含んでいる。従って、通常のサブフレームに対するＵＥ−ＲＳパターンは、周波数および時間におけるチャネル内の変化に起因する影響を軽減することができる、合計６つのＣＤＭグループを含むことができる。
【００６７】
ここで、図５を参照すると、様々な態様に従った例示的な時間シフトされたＵＥ−ＲＳパターンが示されている。図５は、通常のサブフレームに対するＵＥ−ＲＳパターン５００および時間シフトされたＵＥ−ＲＳパターン５０２を図示している。時間シフトされたＵＥ−ＲＳパターン５０２は、サブフレームが、例えば、ＤｗＰＴＳを含む場合に利用され得る。従って、ダウンリンク伝送は、サブフレーム最後におけるシンボルのサブセット上では送信されず、ここで、サブセット中に含まれるシンボル数は、ＤｗＰＴＳ構成の関数である。図５〜８に関連した以下の説明の大部分は、シンボルのサブセットが、ＤｗＰＴＳを含むサブフレームに起因してダウンリンク伝送には使用されないこの例に従っている。しかしながら、以下の少なくとも一部は、リレーへのダウンリンク伝送に関連して用いられるサブフレームに拡張され得て、サブフレーム中の１つまたは複数のシンボルがギャップシンボルとして予約されている（例えば、制御シンボル数に依存する、．．．）ことを理解されたい。
【００６８】
図４のＵＥ−ＲＳパターンと同様に、ＵＥ−ＲＳパターン５００は、時間領域コンポーネント５０４および時間領域コンポーネント５０６と名付けられた、２つの時間領域コンポーネントを含む。時間シフトされたＵＥ−ＲＳパターン５０２を生み出すために、時間領域コンポーネント５０４および時間領域コンポーネント５０６は、共通の数のシンボル分時間シフトされ得る。より具体的には、時間領域コンポーネント５０４および時間領域コンポーネント５０６は、それぞれ３シンボル分シフトされ得て、時間領域コンポーネント５０８および時間領域コンポーネント５１０を有する時間シフトされたＵＥ−ＲＳパターン５０２となる。時間領域コンポーネント５０８は、シンボル３と４上に３つのＣＤＭグループを含み、時間領域コンポーネント５１０は、シンボル１０と１１上に３つのＣＤＭグループを含む。
【００６９】
ある例によれば、時間シフトされたＵＥ−ＲＳパターン５０２は、ＤｗＰＴＳが１１または１２のシンボルを含む場合に使用され得て、従って、最後の２つまたは３つのシンボル（例えば、シンボル１２〜１４またはシンボル１３〜１４、．．．）は、ダウンリンク伝送には用いられない。さらに、ＵＥ−ＲＳパターン５００が一様に時間的にシフトされていることから、時間シフトされたＵＥ−ＲＳパターン５０２は、ＵＥ−ＲＳパターン５００と比較して同一のパイロットスペーシングを提供する。時間シフトされたＵＥ−ＲＳパターン５０２は、最大３つの制御シンボル（例えば、最初の１つの、２つの、または３つのシンボル、．．．）が制御領域中に含まれ得る、通常のサブフレームと比べて、最大２つの制御シンボル（例えば、最初の１つのまたは２つのシンボル、．．．）が制御領域内に含まれ得ることから、ＤｗＰＴＳを含むサブフレームに活用され得る。さらに、周波数領域コンポーネントは、ＵＥ−ＲＳパターン５００と時間シフトされたＵＥ−ＲＳパターン５０２との間で変更されないままにできる。
【００７０】
図６を参照すると、様々な態様に従った例示的なパンクチャされたＵＥ−ＲＳパターンが示されている。図６は、通常のサブフレームに対するＵＥ−ＲＳパターン６００およびパンクチャされたＵＥ−ＲＳパターン６０２を図示している。本明細書に説明するように、ＵＥ−ＲＳパターン６００は、時間領域コンポーネント６０４および時間領域コンポーネント６０６と名付けられた、２つの時間領域コンポーネントを含む。パンクチャされたＵＥ−ＲＳパターン６０２を生み出すために、時間領域コンポーネント６０６（例えば、パンクチャされたＵＥ−ＲＳパターン６０２の２番目の時間領域コンポーネント、．．．）は、パンクチャされ（例えば、除去され、．．．）得る。従って、パンクチャされたＵＥ−ＲＳパターン６０２は、シンボル３と４上に３つのＣＤＭグループを含む、時間領域コンポーネント６０８を含むことができるが、２番目の時間領域コンポーネントを含まない。パンクチャされたＵＥ−ＲＳパターン６０２は、ＤｗＰＴＳが、９、１０、１１または１２個のシンボルを含む場合に使用され得て、従って、最後の２つ、３つ、４つまたは５つのシンボル（例えば、シンボル１０〜１４、シンボル１１〜１４、シンボル１２〜１４またはシンボル１３〜１４、．．．）は、ダウンリンク伝送には用いられない。さらに、周波数領域コンポーネントは、ＵＥ−ＲＳパターン６００とパンクチャされたＵＥ−ＲＳパターン６０２との間で変更されないままにできる。
【００７１】
図７に転じると、様々な態様に従った例示的な部分的に時間シフトされたＵＥ−ＲＳパターンが示されている。図７は、通常のサブフレームに対するＵＥ−ＲＳパターン７００および部分的に時間シフトされたＵＥ−ＲＳパターン７０２を図示している。本明細書に説明するように、ＵＥ−ＲＳパターン７００は、時間領域コンポーネント７０４および時間領域コンポーネント７０６と名付けられた、２つの時間領域コンポーネントを含む。部分的に時間シフトされたＵＥ−ＲＳパターン７０２を生み出すために、ＵＥ−ＲＳパターン７００の一部が、時間シフトされ得る。特に、時間領域コンポーネント７０６は、３シンボル分シフトされ得るが、時間領域コンポーネント７０４はシフトされない。前述のことは、時間領域コンポーネント７０８および時間領域コンポーネント７１０を有する部分的に時間シフトされたＵＥ−ＲＳパターン７０２をもたらすことができる。時間領域コンポーネント７０８は、シンボル６と７上に３つのＣＤＭグループを含み、時間領域コンポーネント７１０は、シンボル１０と１１上に３つのＣＤＭグループを含む。従って、ＵＥ−ＲＳパターン７００内の時間領域コンポーネント７０４と時間領域コンポーネント７０６との間の間隙は、部分的に時間シフトされたＵＥ−ＲＳパターン７０２内の時間領域コンポーネント７０８と時間領域コンポーネント７１０との間の間隙とは異なることになり得る。部分的に時間シフトされたＵＥ−ＲＳパターン７０２は、ＤｗＰＴＳが、１１または１２個のシンボルを含む場合に使用され得て、従って、最後の２つまたは３つのシンボル（例えば、シンボル１２〜１４またはシンボル１３〜１４、．．．）は、ダウンリンク伝送には用いられない。さらに、周波数領域コンポーネントは、ＵＥ−ＲＳパターン７００と部分的に時間シフトされたＵＥ−ＲＳパターン７０２との間で変更されないままにできる。
【００７２】
例えば、部分的に時間シフトされたＵＥ−ＲＳパターン７０２は、リレーに用いられ得る。リレーに対しては、最初の３シンボルまでは、制御シンボルとして構成され得る。従って、部分的に時間シフトされたＵＥ−ＲＳパターン７０２は、最初の３シンボルを無効にすることができる。さらに、部分的に時間シフトされたＵＥ−ＲＳパターン７０２は、リレーがギャップ期間として用いることができる、最後のわずかの（例えば、１つまたは２つ、．．．）シンボルを無効にすることができる。
【００７３】
図８を参照すると、様々な態様に従った例示的な時間シフトされたＵＥ−ＲＳパターンが示されている。図８は、通常のサブフレームに対するＵＥ−ＲＳパターン８００および時間シフトされたＵＥ−ＲＳパターン８０２を図示している。本明細書に説明するように、ＵＥ−ＲＳパターン８００は、時間領域コンポーネント８０４および時間領域コンポーネント８０６と名付けられた、２つの時間領域コンポーネントを含む。時間シフトされたＵＥ−ＲＳパターン８０２を生み出すために、時間領域コンポーネント８０４および時間領域コンポーネント８０６は、異なる数のシンボル分時間シフトされ得る。例えば、時間領域コンポーネント８０４は、３シンボル分シフトされ得、かつ、時間領域コンポーネント８０６は、７シンボル分シフトされ得て、時間領域コンポーネント８０８および時間領域コンポーネント８１０を有する時間シフトされたＵＥ−ＲＳパターン８０２となる。時間領域コンポーネント８０８は、シンボル３と４上に３つのＣＤＭグループを含み、また時間領域コンポーネント８１０は、シンボル６と７上に３つのＣＤＭグループを含む。従って、ＵＥ−ＲＳパターン８００内の時間領域コンポーネント８０４と時間領域コンポーネント８０６との間の間隙は、時間シフトされたＵＥ−ＲＳパターン８０２内の時間領域コンポーネント８０８と時間領域コンポーネント８１０との間の間隙とは異なることになり得る。時間シフトされたＵＥ−ＲＳパターン８０２は、ＤｗＰＴＳが９、１０、１１または１２個のシンボルを含み、従って、最後の２つ、３つ、４つまたは５つのシンボル（例えば、シンボル１０〜１４、シンボル１１〜１４、シンボル１２〜１４またはシンボル１３〜１４、．．．）がダウンリンク伝送に用いられない場合に使用され得る。さらに、周波数領域コンポーネントは、ＵＥ−ＲＳパターン８００と時間シフトされたＵＥ−ＲＳパターン８０２との間で変更されないままにできる。
【００７４】
図９に転じると、旧来型のワイヤレス通信環境内で活用され得る例示的サブフレーム９００が示されている。サブフレーム９００は、旧来型の個別基準信号（ＤＲＳ）パターンに従ってＲＥにマッピングされ得るＤＲＳを搬送することができる。旧来型のＤＲＳパターンは、例えば、リリース８ワイヤレス通信環境内で利用され得る。
【００７５】
図９では、本明細書で説明されたパンクチャリングと旧来型のＤＲＳパターンとの関連したパンクチャリング間の相違を際立たせるために提供されている。時間領域ＣＤＭグループが、１３個のシンボルを有するサブフレームに対して、本明細書で説明されたＵＥ−ＲＳパターン（例えば、図４〜８に記載されたＵＥ−ＲＳパターン、．．．）内で用いられることにより、シンボル１３と１４の両方の上のパイロット（例えば、ＵＥ−ＲＳ、．．．）は、除去され（例えば、パンクチャされ、．．．）得るが、シンボル１３は、依然としてダウンリンク伝送に利用され得る。従って、ＣＤＭグループ全体が、パンクチャ時に除去され得る。
【００７６】
対照的に、サブフレーム９００の旧来型のＤＲＳパターンは、ランク１（１つのレイヤー）伝送に使用され得る。サブフレーム９００が、ＤｗＰＴＳサブフレームである場合、旧来型のＤＲＳパターンは、パンクチャされ得る。例えば、１０〜１２個のシンボルを有するサブフレームに対して、時間的に最初の３ルックは、保持され得るが、時間的に４番目のルックは、パンクチャされる。別の例によれば、７〜９個のシンボルを有するサブフレームに対して、時間的に最初の２つのルックは、保持され得るが、時間的に２番目の２つのルックはパンクチャされる。しかしながら、特許請求対象の主題が、図９に関連して記載される例に限定されないことを理解されたい。
【００７７】
図１０〜１１を参照すると、ワイヤレス通信環境においてＵＥ−ＲＳを用いることに関連した方法が示されている。説明の簡単化の目的で、本方法が一連の動作として示されかつ説明されるが、本方法が、動作の順序により限定されず、それは、ある動作が、１つまたは複数の実施形態に従って、本明細書に示されかつ説明されるものと異なる順序で、および／または他の動作と同時に発生し得るからであることを理解かつ認識されたい。例えば、当業者には、本方法が、状態図におけるなどの、一連の相互に関連する状態または事象として別な形で表現され得ることが理解かつ認識されよう。さらに、１つまたは複数の実施形態に従って方法を実装するために、全ての示された動作が要求されない可能性がある。
【００７８】
図１０を参照すると、ワイヤレス通信環境においてチャネル推定のために基準信号を送信することを容易にする方法１０００が示されている。１００２において、ダウンリンク伝送に利用されるサブフレームにおけるシンボル数が、識別され得る。例えば、ダウンリンク伝送に利用されるサブフレームにおけるシンボル数は、割り当てから識別され得る。例によれば、サブフレームが、通常のサブフレームであると認識される場合、サブフレームにおける全てのシンボルは、ダウンリンク伝送に利用されるものと識別され得る。別の例によれば、サブフレームが、ダウンリンクパイロットタイムスロット（ＤｗＰＴＳ(Downlink pilot timeslot)）を含むものと認識される場合、ダウンリンク伝送に利用されるシンボル数は、構成されたＤｗＰＴＳ中に含まれるシンボル数であり得る。さらに別の例によれば、サブフレームが、ダウンリンク伝送をリレーに送信するために利用される場合、ギャップシンボルとして予約されたサブフレーム中の１つまたは複数のシンボルが識別され得る。
【００７９】
１００４において、利用者装置固有基準信号（ＵＥ−ＲＳ）パターンは、ダウンリンク伝送に利用されるサブフレームにおけるシンボル数に基づき選択され得る。例えば、ＵＥ−ＲＳパターンの少なくとも１つの時間領域コンポーネントは、ダウンリンク伝送に利用されるサブフレームにおけるシンボル数に基づき変化し得る。ＵＥ−ＲＳパターンの時間領域コンポーネントは、同一の組みのシンボル上の符号分割多重化（ＣＤＭ）グループを含むことができる。さらに、ＵＥ−ＲＳパターンの周波数領域コンポーネントは、ダウンリンク伝送に利用されるサブフレームにおけるシンボル数に基づき変更されない可能性がある。１００６において、ＵＥ−ＲＳは、ＵＥ−ＲＳパターンの関数としてサブフレームのリソースエレメント（ＲＥ）にマッピングされ得る。
【００８０】
ある例によれば、ＵＥ−ＲＳパターンの少なくとも１つの時間領域コンポーネントは、ＵＥ−ＲＳパターンの少なくとも１つの時間領域コンポーネントを時間シフトすることによりダウンリンク伝送に利用されるサブフレームにおけるシンボル数に基づき変化し得る。図によれば、ＵＥ−ＲＳパターンの１組の時間領域コンポーネントは、共通の数のシンボル分時間シフトされ得る。別の例によれば、ＵＥ−ＲＳパターンの１組の時間領域コンポーネントは、それぞれ異なる数のシンボル分時間シフトされ得る。さらに別の例によれば、ＵＥ−ＲＳパターンの１つの時間領域コンポーネントは、時間シフトされ得るが、ＵＥ−ＲＳパターンの異なる時間領域コンポーネントは、時間的に変更しないことができる。別の例によれば、ＵＥ−ＲＳパターンの少なくとも１つの時間領域コンポーネントは、ＵＥ−ＲＳパターンの１つの時間領域コンポーネントをパンクチャすることによりダウンリンク伝送に利用されるサブフレームにおけるシンボル数に基づき変化し得る。別の例によれば、ＵＥ−ＲＳパターンは、ダウンリンク伝送がリレーまたはＵＥのいずれに送信されるかに基づき選択され得る。
【００８１】
図１１に転じると、ワイヤレス通信環境においてチャネルを推定することを容易にする方法１１００が示されている。１１０２において、ダウンリンク伝送に割り当てられたサブフレームにおけるシンボル数が、識別され得る。例によれば、サブフレームが、通常のサブフレームであると認識される場合、サブフレームにおける全てのシンボルは、ダウンリンク伝送に割り当てられていると識別され得る。別の例によれば、サブフレームが、ダウンリンクパイロットタイムスロット（ＤｗＰＴＳ）を含むものと認識される場合、ダウンリンク伝送に割り当てられるシンボル数は、構成されたＤｗＰＴＳ中に含まれるシンボル数であり得る。
【００８２】
１１０４において、利用者装置固有基準信号（ＵＥ−ＲＳ）パターンは、ダウンリンク伝送に割り当てられたサブフレームにおけるシンボル数に基づき認識され得る。例えば、ＵＥ−ＲＳパターンの少なくとも１つの時間領域コンポーネントは、ダウンリンク伝送に割り当てられたサブフレームにおけるシンボル数に基づき変化し得る。ＵＥ−ＲＳパターンの時間領域コンポーネントは、同一の組みのシンボル上の符号分割多重化（ＣＤＭ）グループを含むことができる。さらに、ＵＥ−ＲＳパターンの周波数領域コンポーネントは、ダウンリンク伝送に利用されるサブフレームにおけるシンボル数に基づき変更されないようにできる。１１０６において、ＵＥ−ＲＳパターンにより特定されたサブフレームのリソースエレメント（ＲＥ）上のＵＥ−ＲＳが、検出され得る。１１０８において、チャネルはＵＥ−ＲＳに基づいて推定され得る。
【００８３】
ある例によれば、ＵＥ−ＲＳパターンの少なくとも１つの時間領域コンポーネントは、ＵＥ−ＲＳパターンの少なくとも１つの時間領域コンポーネントを時間シフトすることによりダウンリンク伝送に利用されるサブフレームにおけるシンボル数に基づき変化し得る。例として、ＵＥ−ＲＳパターンの１組の時間領域コンポーネントは、共通の数のシンボル分時間シフトされ得る。別の例によれば、ＵＥ−ＲＳパターンの１組の時間領域コンポーネントは、それぞれ異なる数のシンボル分時間シフトされ得る。さらに別の例によれば、ＵＥ−ＲＳパターンの１つの時間領域コンポーネントは、時間シフトされ得るが、ＵＥ−ＲＳパターンの異なる時間領域コンポーネントは、時間的に変更されないようにできる。別の例によれば、ＵＥ−ＲＳパターンの少なくとも１つの時間領域コンポーネントは、ＵＥ−ＲＳパターンの１つの時間領域コンポーネントをパンクチャすることによりダウンリンク伝送に利用されるサブフレームにおけるシンボル数に基づき変化され得る。
【００８４】
本明細書に説明される１つまたは複数の態様よれば、推測は、ワイヤレス通信環境においてＵＥ−ＲＳを送信および／または受信によりなされ得ることを理解されたい。本明細書で使用される場合、「推測する（ｉｎｆｅｒ）」または「推測（ｉｎｆｅｒｅｎｃｅ）」に対する用語は、一般的に、事象および／またはデータを通じて捕捉されるような１組の観察からシステム、環境および／または利用者の状態についての理由付けをすることまたは推測することの過程を指す。推測は、具体的な文脈または動作を識別するために用いられ得る、あるいは、例えば、状態の確率分布を生成することができる。推測は、確率的、すなわち、データおよび事象の考察に基づく関心のある状態の確率分布の計算であり得る。推測はまた、１組の事象および／またはデータからより高いレベルの事象を組み立てるために用いられる技術を指すことができる。そのような推測は、事象が時間的に密接に近接した相関があるか否かにかかわらず、また、事象およびデータが１つまたは複数の事象およびデータ源から来るかどうかによらず、１組の観察された事象および／または格納された事象データから新しい事象または動作を創出することになる。
【００８５】
図１２を参照すると、ワイヤレス通信環境において基準信号の送信を可能とするシステム１２００が示されている。例えば、システム１２００は、少なくとも部分的には基地局内に置くことができる。システム１２００が、プロセッサー、ソフトウェアまたはそれらの組み合わせ（例えば、ファームウェア）により実装された機能を表す機能ブロックであり得る、機能ブロックを含むように表現されていることを理解されたい。システム１２００は、連動して作動することができる電気的コンポーネントの論理グループ１２０２を含む。例えば、論理グループ１２０２は、ダウンリンク伝送に利用されるサブフレームにおけるシンボル数を識別するための電気的コンポーネント１２０４を含むことができる。さらに、論理グループ１２０２は、利用者装置固有基準信号（ＵＥ−ＲＳ）パターンをダウンリンク伝送に利用されるサブフレームにおけるシンボル数に基づいて選択するための電気的コンポーネントを含むことができ、ここにおいて、ＵＥ−ＲＳパターンの少なくとも１つの時間領域コンポーネントは、ダウンリンク伝送に利用されるサブフレームにおけるシンボル数に基づいて変化する。さらに、論理グループ１２０２は、ＵＥ−ＲＳパターンの関数としてサブフレームのリソースエレメント（ＲＥ）にＵＥ−ＲＳをマッピングするための電気的コンポーネント１２０８を含むことができる。さらに、システム１２００は、電気的コンポーネント１２０４、１２０６および１２０８と関連した機能を実行するための命令を保持するメモリー１２１０を含むことができる。メモリー１２１０に外付けであるように示されているが、電気的コンポーネント１２０４、１２０６および１２０８の１つまたは複数が、メモリー１２１０内に存在し得ることを理解されたい。
【００８６】
図１３を参照すると、ワイヤレス通信環境においてチャネルを推定することを可能とするシステム１３００が示されている。例えば、システム１３００は、ＵＥ内に置くことができる。システム１３００が、プロセッサー、ソフトウェアまたはそれらの組み合わせ（例えば、ファームウェア）により実装された機能を表す機能ブロックであり得る、機能ブロックを含むように表現されていることを理解されたい。システム１３００は、連動して作動することができる電気的コンポーネントの論理グループ１３０２を含む。例えば、論理グループ１３０２は、ダウンリンク伝送に割り当てられるサブフレームにおけるシンボル数を識別するための電気的コンポーネント１３０４を含むことができる。さらに、論理グループ１３０２は、利用者装置固有基準信号（ＵＥ−ＲＳ）パターンをダウンリンク伝送に利用されるサブフレームにおけるシンボル数に基づいて認識するための電気的コンポーネントを含むことができ、ここにおいて、ＵＥ−ＲＳパターンの少なくとも１つの時間領域コンポーネントは、ダウンリンク伝送に割り当てられるサブフレームにおけるシンボル数に基づいて変化する。さらに、論理グループ１３０２は、ＵＥ−ＲＳパターンにより特定されたサブフレームのリソースエレメント（ＲＥ）上のＵＥ−ＲＳを検出するための電気的コンポーネント１３０８を含むことができる。さらに、論理グループ１３０２は、ＵＥ−ＲＳに基づきチャネルを推定するための電気的コンポーネント１３１０を含むことができる。さらに、システム１３００は、電気的コンポーネント１３０４、１３０６、１３０８および１３１０と関連した機能を実行するための命令を保持するメモリー１３１２を含むことができる。メモリー１３１２に外付けであるように示されているが、電気的コンポーネント１３０４、１３０６、１３０８および１３１０の１つまたは複数が、メモリー１３１２内に存在することができることを理解されたい。
【００８７】
図１４は、本明細書に説明される機能の様々な態様を実装するために利用され得るシステム１４００の図である。システム１４００は、基地局１４０２（例えば、基地局３０２、．．．）を含むことができる。基地局１４０２は、１つまたは複数の受信（Ｒｘ）アンテナ１４０６を通じて１つまたは複数のＵＥ１４０４から信号を受信し、また１つまたは複数の送信（Ｔｘ）アンテナ１４０８を通じて１つまたは複数のＵＥ１４０４に送信することができる。さらに、基地局１４０２は、受信アンテナ１４０６から情報を受信する受信機１４１０を含むことができる。ある例によれば、受信機１４１０は、受信した情報を復調する復調器（ｄｅｍｏｄ）１４１２と動作可能なように関連付けられ得る。復調されたシンボルは、プロセッサー１４１４により解析され得る。プロセッサー１４１４は、ＵＥ１４０４に送信されまたはＵＥ１４０４から受信されるべきデータ、および／または、本明細書に記載される様々な動作および機能を実行することに関連した任意の他の適切なプロトコル、アルゴリズム、情報など、を格納することができる、メモリー１４１６に結合され得る。例えば、基地局１４０２は、方法１０００および／または他の類似のかつ適切な方法を実行するためにプロセッサー１４１４を用いることができる。基地局１４０２はさらに、送信機１４２０によりアンテナ１４０８を通じて送信するために信号を多重化することができる変調器１４１８を含むことができる。
【００８８】
プロセッサー１４１４は、受信機１４１０により受信された情報を解析することに充てられ、送信機１４２０による伝送のための情報を生成することに充てられ、あるいは、基地局１４０２の１つまたは複数のモジュールを制御することに充てられるプロセッサーであり得る。別の例によれば、プロセッサー１４１４は、受信機１４１０により受信された情報を解析し、送信機１４２０による伝送のための情報を生成し、かつ、基地局１４０２の１つまたは複数のモジュールを制御することができる。基地局１４０２の１つまたは複数のモジュールは、例えば、ＰＤＣＰモジュール、ＲＬＣモジュール、物理レイヤーモジュール、符号化モジュール、変調モジュール、マッピングモジュール、スケジューラ、パターン選択モジュール、および／または個別基準信号モジュールを含むことができる。さらに、示されていないが、基地局１４０２の１つまたは複数のモジュールが、プロセッサー１４１４の一部または複数のプロセッサー（示されない）であり得ることを考慮されたい。
【００８９】
図１５は、本明細書で説明された機能の様々な態様を実装するために利用され得るシステム１５００の図である。システム１５００は、ＵＥ１５０２（例えば、ＵＥ３０４、．．．）を含むことができる。ＵＥ１５０２は、１つまたは複数のアンテナ１５０６を通じて１つまたは複数の基地局１５０４から信号を受信し、かつ／または１つまたは複数の基地局１５０４に送信することができる。さらに、ＵＥ１５０２は、アンテナ１５０６から情報を受信する受信機１５０８を含むことができる。ある例によれば、受信機１５０８は、受信した情報を復調する復調器（ｄｅｍｏｄ）１５１０と動作可能なように関連付けられ得る。復調されたシンボルは、プロセッサー１５１２により解析され得る。プロセッサー１５１２は、基地局１５０４に送信されまたはから受信されるべきデータ、および／または、本明細書に記載される様々な動作および機能を実行することに関連した任意の他の適切なプロトコル、アルゴリズム、情報など、を格納することができる、メモリー１５１４に結合され得る。例えば、ＵＥ１５０２は、方法１１００および／または他の類似のかつ適切な方法を実行するためにプロセッサー１５１２を用いることができる。ＵＥ１５０２はさらに、アンテナ１５０６を通じて送信機１５１８による伝送のために信号を多重化することができる変調器１５１６を含むことができる。
【００９０】
プロセッサー１５１２は、受信機１５０８により受信された情報を解析することに充てられ、送信機１５１８による伝送のための情報を生成することに充てられ、あるいは、ＵＥ１５０２の１つまたは複数のモジュールを制御することに充てられるプロセッサーであり得る。別の例によれば、プロセッサー１５１２は、受信機１５０８により受信された情報を解析し、送信機１５１８により送信される情報を生成し、かつ、ＵＥ１５０２の１つまたは複数のモジュールを制御することができる。ＵＥ１５０２の１つまたは複数のモジュールは、例えば、ＰＤＣＰモジュール、ＲＬＣモジュール、物理レイヤーモジュール、符号化モジュール、変調モジュール、マッピングモジュール、割り当て解析モジュール、基準信号評価モジュール、および／またはチャネル推定モジュールを含むことができる。さらに、示されていないが、ＵＥ１５０２の１つまたは複数のモジュールが、プロセッサー１５１２の一部または複数のプロセッサー（示されない）であり得ることが考慮される。
【００９１】
図１６は、例示的ワイヤレス通信システム１６００を示す。ワイヤレス通信システム１６００は、簡潔にするために、１つの基地局１６１０および１つのＵＥ１６５０を図示している。しかしながら、システム１６００が、２つ以上の基地局および／または２つ以上のＵＥを含むことができ、そこで、追加される基地局および／またはＵＥが、以下に説明される例示的基地局１６１０およびＵＥ１６５０と実質的に類似しているまたは異なるものであり得ることを理解されたい。加えて、基地局１６１０および／またはＵＥ１６５０が、本明細書に説明されたシステム（図１〜３および１２〜１５）および／または方法（図１０〜１１）を用いて、それらの間のワイヤレス通信を容易にすることができることを理解されたい。
【００９２】
基地局１６１０において、いくつかのデータストリームに対するトラヒックデータは、データソース１６１２から送信（ＴＸ）データプロセッサー１６１４に供給される。ある例によれば、各データストリームは、それぞれのアンテナから送信され得る。ＴＸデータプロセッサー１６１４は、符号化データを提供するためにそのデータストリームに対して選択される特定の符号化方式に基づきトラヒックデータストリームをフォーマットし、符号化しかつインターリーブする。
【００９３】
各データストリームに対して符号化されたデータは、直交周波数分割多重化（ＯＦＤＭ）技術を使用してパイロットデータを多重化することができる。加えてまたは代替として、パイロットシンボルは、周波数分割多重化（ＦＤＭ）、時分割多重化（ＴＤＭ）、または符号分割多重化（ＣＤＭ）され得る。パイロットデータは、典型的には、既知の方法で処理され、かつ、ＵＥ１６５０においてチャネル応答を推定するために使用され得る既知のデータパターンである。各データストリームに対して多重化されたパイロットかつ符号化されたデータは、変調シンボルを供給するためにデータストリームに対して選択される特定の変調方式（例えば、二位相偏移変調（ＢＰＳＫ）、直角位相偏移変調（ＱＰＳＫ）、Ｍ状態位相偏移符号化（Ｍ−ＰＳＫ）、Ｍ−位相振幅変調（Ｍ−ＱＡＭ;（Ｍ-quadrature amplitude modulation）など）に基づいて変調され得る（例えば、シンボルがマッピングされる）。各データストリームに対するデータ転送率、符号化および変調は、プロセッサー１６３０により実行されかつ提供される命令により決定され得る。
【００９４】
データストリームに対する変調シンボルは、変調シンボルをさらに処理することができる（例えば、ＯＦＤＭのために）、ＴＸ  ＭＩＭＯプロセッサー１６２０に供給され得る。ＴＸ  ＭＩＭＯプロセッサー１６２０はそこで、ＮT変調シンボルストリームをＮT送信機（ＴＭＴＲ）１６２２ａに１６２２ｔを介して供給する。様々な実施形態において、ＴＸ  ＭＩＭＯプロセッサー１６２０は、ビームフォーミングの重みをデータストリームのシンボルにおよびシンボルが送信されるアンテナに適用する。
【００９５】
各送信機１６２２は、１つまたは複数のアナログ信号を供給するためにそれぞれのシンボルストリームを受信しかつ処理し、さらに、ＭＩＭＯチャネル上で伝送に適した変調信号を供給するためにアナログ信号を調整する（例えば、増幅する、フィルタリングする、およびアップコンバートする）。さらに、送信機１６２２ａから１６２２ｔからのＮT変調された信号は、ＮTアンテナ１６２４ａから１６２４ｔそれぞれから送信される。
【００９６】
ＵＥ１６５０において、伝送された変調信号が、ＮRアンテナ１６５２ａから１６５２ｒにより受信され、各アンテナ１６５２からの受信信号は、それぞれの受信機（ＲＣＶＲ）１６５４ａから１６５４ｒに供給される。各受信機１６５４は、それぞれの信号を調整し（例えば、フィルタリングする、増幅する、およびダウンコンバートする）、サンプルを供給するために調整された信号をデジタル化し、さらに、対応する「受信された」シンボルストリームに供給するためにサンプルを処理する。
【００９７】
ＲＸデータプロセッサー１６６０は、ＮT「検出」シンボルストリームを供給するために特定の受信機処理技術に基づきＮR受信機１６５４からのＮR受信シンボルストリームを受信しかつ処理することができる。ＲＸデータプロセッサー１６６０は、データストリームに対するトラヒックデータを回復するために各検出されたシンボルストリームを復調し、デインターリーブし、かつ復号化することができる。ＲＸデータプロセッサー１６６０による処理は、基地局１６１０においてＴＸ  ＭＩＭＯプロセッサー１６２０およびＴＸデータプロセッサー１６１４により実行されたものと相補的である。
【００９８】
プロセッサー１６７０は、上記に説明された利用可能な技術のいずれが利用されるかを周期的に決定することができる。さらに、プロセッサー１６７０は、行列インデックス部およびランク値部（rank value portion）を備える逆方向リンクメッセージを形成することができる。
【００９９】
逆方向リンクメッセージは、通信リンクおよび／または受信データストリームに関する様々な形式の情報を備えることができる。逆方向リンクメッセージは、データソース１６３６からの、変調器１６８０により変調され、送信機１６５４ａから１６５４ｒにより調整され、かつ基地局１６１０に返送されるいくつかのデータストリームに対するトラヒックデータもまた受信する、ＴＸデータプロセッサー１６３８により処理され得る。
【０１００】
基地局１６１０において、ＵＥ１６５０からの変調信号は、アンテナ１６２４により受信され、受信機１６２２により調整され、復調器１６４０により復調され、かつ、ＲＸデータプロセッサー１６４２により処理されて、ＵＥ１６５０により送信された逆方向リンクメッセージを抽出する。さらに、プロセッサー１６３０は、ビームフォーミングの重みを決定するためにいずれのプリコーディングマトリックスを使用するかを決定するために抽出されたメッセージを処理することができる。
【０１０１】
プロセッサー１６３０および１６７０は、基地局１６１０およびＵＥ１６５０それぞれにおける動作を命令する（例えば、制御する、調整する、管理するなど）ことができる。それぞれのプロセッサー１６３０および１６７０は、プログラムコードおよびデータを格納するメモリー１６３２および１６７２と関連付けられ得る。プロセッサー１６３０および１６７０はまた、アップリンクおよびダウンリンクそれぞれに対する周波数およびインパルス応答推定を引き出すための計算を実行することができる。
【０１０２】
本明細書で説明された態様が、ハードウェア、ソフトウェア、ファームウェア、ミドルウェア、マイクロコード、またはそれらの任意の組み合わせ中に実装され得ることを理解されたい。ハードウェア実装のために、処理ユニットは、１つまたは複数の特定用途向け集積回路（ＡＳＩＣ）、デジタルシグナルプロセッサー（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサー、コントローラ、マイクロコントローラ、マイクロプロセッサー、本明細書で説明された機能を実行するために設計された他の電子装置、またはそれらの組み合わせ中に実装され得る。
【０１０３】
実施形態が、ソフトウェア、ファームウェア、ミドルウェアまたはマイクロコード、プログラムコードまたはコードセグメント中に実装される場合、それらは、記憶コンポーネントなどの、機械読み取り可能な媒体中に格納され得る。コードセグメントは、手続き、関数、サブプログラム、プログラム、ルーチン、サブルーチン、モジュール、ソフトウェアパッケージ、クラス、あるいは命令、データ構造またはプログラム文の任意の組み合わせを表すことができる。コードセグメントは、情報、データ、アーギュメント、パラメータまたはメモリー内容物を通過させるかつ／または受信することにより別のコードセグメントまたはハードウェア回路と結合され得る。情報、アーギュメント、パラメータ、データなどは、メモリー共有、メッセージパッシング、トークンパッシング、ネットワーク伝送などを含む任意の適切な手段を使用して通過させ、転送され、または伝送され得る。
【０１０４】
ソフトウェア実装のために、本明細書で説明された技術は、本明細書で説明された機能を実行するモジュール（例えば、手続き、関数など）を用いて実装され得る。ソフトウェアコードは、メモリーユニット内に格納され、かつプロセッサーにより実行され得る。メモリーユニットは、プロセッサー内にまたはプロセッサーに外付けで実装され得、その場合に、既知の技術である様々な手段によりプロセッサーに通信可能な形で結合され得る。
【０１０５】
上記に説明されてきたものは、１つまたは複数の実施形態の例を含む。無論、前述の態様を説明する目的で構成要素または方法のあらゆる考えられる組み合わせを説明することは不可能であるが、当業者は、様々な態様のさらに多くの組み合わせおよび置換が可能であることを理解するであろう。したがって、説明された態様は、添付の特許請求の範囲の精神および範囲内に入る全てのそのような変更、修正および変形を包含することを意図するものである。さらに、用語「含む（ｉｎｃｌｕｄｅｓ）」が詳細な説明または特許請求の範囲のいずれかで使用される範囲では、そのような用語は、特許請求の範囲内で転換語として用いられる場合に「備える（ｃｏｍｐｒｉｓｉｎｇ）」が解釈されているように、用語「備える」と類似の態様において包括的であることを意図している。
以下に、本願出願の当初の特許請求の範囲に記載された発明を付記する。
［Ｃ１］
ワイヤレス通信環境においてチャネル推定のために基準信号を送信することを容易にする方法であって、
ダウンリンク伝送に利用されるサブフレームからいくつかのシンボルを識別することと、
利用者装置固有基準信号（ＵＥ−ＲＳ）パターンの少なくとも１つの時間領域コンポーネントが、前記ダウンリンク伝送に利用される前記サブフレームからのシンボル数に基づき変化する場合に、前記ＵＥ−ＲＳパターンを前記ダウンリンク伝送に利用される前記サブフレームからのシンボル数に基づき選択することと、
前記ＵＥ−ＲＳパターンの関数として前記サブフレームのリソースエレメントにＵＥ−ＲＳをマッピングすることと、
を備える、方法。
［Ｃ２］
前記サブフレームが、通常のサブフレームであり、かつ、前記サブフレームからの全てのシンボルが、前記ダウンリンク伝送に利用されるものと識別される、Ｃ１に記載の方法。
［Ｃ３］
前記サブフレームが、ダウンリンクパイロットタイムスロット（ＤｗＰＴＳ）を含み、かつ、前記ダウンリンク伝送に利用される前記サブフレームからのシンボル数が、構成された前記ＤｗＰＴＳ中に含まれるいくつかのシンボルであると識別される、Ｃ１に記載の方法。
［Ｃ４］
前記サブフレームが、リレーに送信され、かつ、ギャップシンボルとして予約される１つまたは複数のシンボルを含む、Ｃ１に記載の方法。
［Ｃ５］
前記ＵＥ−ＲＳパターンの時間領域コンポーネントが、同一の組みのシンボル上に符号分割多重化（ＣＤＭ）グループを含む、Ｃ１に記載の方法。
［Ｃ６］
前記ＵＥ−ＲＳパターンの周波数領域コンポーネントが、前記ダウンリンク伝送に利用される前記サブフレームからのシンボル数に基づき変更されない、Ｃ１に記載の方法。
［Ｃ７］
前記ＵＥ−ＲＳパターンの前記少なくとも１つの時間領域コンポーネントが、前記ＵＥ−ＲＳパターンの前記少なくとも１つの時間領域コンポーネントを時間シフトすることにより前記ダウンリンク伝送に利用される前記サブフレームからのシンボル数に基づき変化する、Ｃ１に記載の方法。
［Ｃ８］
前記ＵＥ−ＲＳパターンの１組の時間領域コンポーネントが、共通の数のシンボル分時間シフトされる、Ｃ７に記載の方法。
［Ｃ９］
前記ＵＥ−ＲＳパターンの１組の時間領域コンポーネントが、それぞれ異なる数のシンボル分時間シフトされる、Ｃ７に記載の方法。
［Ｃ１０］
前記ＵＥ−ＲＳパターンの前記少なくとも１つの時間領域コンポーネントが、時間シフトされ、かつ、少なくとも１つの異なる時間領域コンポーネントが時間的に変更されない、Ｃ７に記載の方法。
［Ｃ１１］
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームからのシンボル数に基づき変化する、Ｃ１に記載の方法。
［Ｃ１２］
前記ダウンリンク伝送がリレーの１つまたは利用者装置のいずれに送信されるかに基づき、前記ＵＥ−ＲＳパターンが選択される、Ｃ１に記載の方法。
［Ｃ１３］
ダウンリンク伝送に利用されるサブフレームからいくつかのシンボルを識別することと、利用者装置固有基準信号（ＵＥ−ＲＳ）パターンの少なくとも１つの時間領域コンポーネントが、前記ダウンリンク伝送に利用される前記サブフレームからのシンボル数に基づき変化する場合に、前記ダウンリンク伝送に利用される前記サブフレームからのシンボル数に基づき前記ＵＥ−ＲＳパターンを選択することと、前記ＵＥ−ＲＳパターンの関数として前記サブフレームのリソースエレメントにＵＥ−ＲＳをマッピングすることと、に関連した命令を保持するメモリーと、
前記メモリー中に保持された前記命令を実行するように構成された、前記メモリーに結合された、プロセッサーと、
を備える、ワイヤレス通信装置。
［Ｃ１４］
前記サブフレームが通常のサブフレーム、ダウンリンクパイロットタイムスロット（ＤｗＰＴＳ）を含むサブフレーム、またはギャップシンボルとして予約された１つまたは複数のシンボルを含むリレーに送信されるサブフレームの１つである、Ｃ１３に記載のワイヤレス通信装置。
［Ｃ１５］
前記ＵＥ−ＲＳパターンの時間領域コンポーネントが、同一の組みのシンボル上に符号分割多重化（ＣＤＭ）グループを含む、Ｃ１３に記載のワイヤレス通信装置。
［Ｃ１６］
前記ＵＥ−ＲＳパターンの周波数領域コンポーネントが、前記ダウンリンク伝送に利用される前記サブフレームからのシンボル数に基づき変更されない、Ｃ１３に記載のワイヤレス通信装置。
［Ｃ１７］
前記ＵＥ−ＲＳパターンの前記少なくとも１つの時間領域コンポーネントが、前記ＵＥ−ＲＳパターンの前記少なくとも１つの時間領域コンポーネントを時間シフトすることにより前記ダウンリンク伝送に利用される前記サブフレームからのシンボル数に基づき変更される、Ｃ１３に記載のワイヤレス通信装置。
［Ｃ１８］
前記ＵＥ−ＲＳパターンの１組の時間領域コンポーネントが、共通の数のシンボル分時間シフトされる、Ｃ１７に記載のワイヤレス通信装置。
［Ｃ１９］
前記ＵＥ−ＲＳパターンの１組の時間領域コンポーネントが、それぞれ異なる数のシンボル分時間シフトされる、Ｃ１７に記載のワイヤレス通信装置。
［Ｃ２０］
前記ＵＥ−ＲＳパターンの前記少なくとも１つの時間領域コンポーネントが、時間シフトされ、かつ、少なくとも１つの異なる時間領域コンポーネントが、時間的に変更されない、Ｃ１７に記載のワイヤレス通信装置。
［Ｃ２１］
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームからのシンボル数に基づき変化する、Ｃ１３に記載のワイヤレス通信装置。
［Ｃ２２］
前記ダウンリンク伝送がリレーの１つまたは利用者装置のいずれに送信されるかに基づき、前記ＵＥ−ＲＳパターンが選択される、Ｃ１３に記載のワイヤレス通信装置。
［Ｃ２３］
ワイヤレス通信環境において基準信号を送信することを可能とするワイヤレス通信装置であって、
ダウンリンク伝送に利用されるサブフレームからいくつかのシンボルを識別するための手段と、
利用者装置固有基準信号（ＵＥ−ＲＳ）パターンの少なくとも１つの時間領域コンポーネントが、前記ダウンリンク伝送に利用される前記サブフレームからのシンボル数に基づき変化する場合に、前記ダウンリンク伝送に利用される前記サブフレームからのシンボル数に基づき前記ＵＥ−ＲＳパターンを選択するための手段と、
前記ＵＥ−ＲＳパターンの関数として前記サブフレームのリソースエレメントにＵＥ−ＲＳをマッピングするための手段と、
を備える、ワイヤレス通信装置。
［Ｃ２４］
前記ＵＥ−ＲＳパターンの時間領域コンポーネントが、同一の組みのシンボル上に符号分割多重化（ＣＤＭ）グループを含む、Ｃ２３に記載のワイヤレス通信装置。
［Ｃ２５］
前記ＵＥ−ＲＳパターンの前記少なくとも１つの時間領域コンポーネントが、前記ＵＥ−ＲＳパターンの前記少なくとも１つの時間領域コンポーネントを時間シフトすることにより前記ダウンリンク伝送に利用される前記サブフレームからのシンボル数に基づき変化する、Ｃ２３に記載のワイヤレス通信装置。
［Ｃ２６］
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームからのシンボル数に基づき変化する、Ｃ２３に記載のワイヤレス通信装置。
［Ｃ２７］
コンピュータ読み取り可能な媒体を備える、コンピュータプログラム製品であって、
ダウンリンク伝送に利用されるサブフレームからいくつかのシンボルを識別するためのコードと、
利用者装置固有基準信号（ＵＥ−ＲＳ）パターンの少なくとも１つの時間領域コンポーネントが、前記ダウンリンク伝送に利用される前記サブフレームからのシンボル数に基づき変化する場合に、前記ダウンリンク伝送に利用される前記サブフレームからのシンボル数に基づき前記ＵＥ−ＲＳパターンを選択するためのコードと、
前記ＵＥ−ＲＳパターンの関数として前記サブフレームのリソースエレメントにＵＥ−ＲＳをマッピングするためのコードと、
を備える、コンピュータ読み取り可能な媒体を備える、コンピュータプログラム製品。
［Ｃ２８］
前記ＵＥ−ＲＳパターンの時間領域コンポーネントが、同一の組みのシンボル上に符号分割多重化（ＣＤＭ）グループが含まれる、Ｃ２７に記載のコンピュータプログラム製品。
［Ｃ２９］
前記ＵＥ−ＲＳパターンの前記少なくとも１つの時間領域コンポーネントが、前記ＵＥ−ＲＳパターンの前記少なくとも１つの時間領域コンポーネントを時間シフトすることにより前記ダウンリンク伝送に利用される前記サブフレームからのシンボル数に基づき変化する、Ｃ２７に記載のコンピュータプログラム製品。
［Ｃ３０］
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームからのシンボル数に基づき変化する、Ｃ２７に記載のコンピュータプログラム製品。
［Ｃ３１］
ダウンリンク伝送に利用されるサブフレームからいくつかのシンボルを識別し、
利用者装置固有基準信号（ＵＥ−ＲＳ）パターンの少なくとも１つの時間領域コンポーネントが、前記ダウンリンク伝送に利用される前記サブフレームからのシンボル数に基づき変化する場合に、前記ダウンリンク伝送に利用される前記サブフレームからのシンボル数に基づき前記ＵＥ−ＲＳパターンを選択し、かつ、
前記ＵＥ−ＲＳパターンの関数として前記サブフレームのリソースエレメントにＵＥ−ＲＳをマッピングする、
ように構成されたプロセッサー、
を備える、ワイヤレス通信装置。
［Ｃ３２］
前記ＵＥ−ＲＳパターンの前記少なくとも１つの時間領域コンポーネントが、前記ＵＥ−ＲＳパターンの前記少なくとも１つの時間領域コンポーネントを時間シフトすること、または前記ＵＥ−ＲＳパターンの１つの時間領域コンポーネントをパンクチャすることの１つまたは複数により前記ダウンリンク伝送に利用される前記サブフレームからのシンボル数に基づき変化する、Ｃ２９に記載のワイヤレス通信装置。
［Ｃ３３］
ワイヤレス通信環境においてチャネルを推定することを容易にする方法であって、
ダウンリンク伝送に割り当てられるサブフレームからのいくつかのシンボルを識別することと、
利用者装置固有基準信号（ＵＥ−ＲＳ）パターンの少なくとも１つの時間領域コンポーネントが、前記ダウンリンク伝送に割り当てられる前記サブフレームからのシンボル数に基づき変化する場合に、前記ダウンリンク伝送に割り当てられる前記サブフレームからのシンボル数に基づき前記ＵＥ−ＲＳパターンを認識することと、
前記ＵＥ−ＲＳパターンにより特定された前記サブフレームのリソースエレメント上のＵＥ−ＲＳを検出することと、
前記ＵＥ−ＲＳに基づきチャネルを推定することと、
を備える、方法。
［Ｃ３４］
前記ＵＥ−ＲＳパターンの時間領域コンポーネントが、同一の組みのシンボル上に符号分割多重化（ＣＤＭ）グループを含む、Ｃ３３に記載の方法。
［Ｃ３５］
前記ＵＥ−ＲＳパターンの周波数領域コンポーネントが、前記ダウンリンク伝送に利用される前記サブフレームからのシンボル数に基づき変更されない、Ｃ３３に記載の方法。
［Ｃ３６］
前記ＵＥ−ＲＳパターンの前記少なくとも１つの時間領域コンポーネントが、前記ＵＥ−ＲＳパターンの前記少なくとも１つの時間領域コンポーネントを時間シフトすることにより前記ダウンリンク伝送に利用される前記サブフレームからのシンボル数に基づき変化する、Ｃ３３に記載の方法。
［Ｃ３７］
前記ＵＥ−ＲＳパターンの１組の時間領域コンポーネントが、共通の数のシンボル分時間シフトされている、Ｃ３６に記載の方法。
［Ｃ３８］
前記ＵＥ−ＲＳパターンの１組の時間領域コンポーネントが、それぞれ異なる数のシンボル分時間シフトされている、Ｃ３６に記載の方法。
［Ｃ３９］
前記ＵＥ−ＲＳパターンの前記少なくとも１つの時間領域コンポーネントが、時間シフトされ、かつ、少なくとも１つの異なる時間領域コンポーネントが、時間的に変更されない、Ｃ３６に記載の方法。
［Ｃ４０］
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームからのシンボル数に基づき変化する、Ｃ３３に記載の方法。
［Ｃ４１］
前記サブフレームが、通常のサブフレーム、ダウンリンクパイロットタイムスロット（ＤｗＰＴＳ）を含むサブフレーム、またはギャップシンボルとして予約された１つまたは複数のシンボルを含むリレーに送信されるサブフレームの１つである、Ｃ３３に記載の方法。
［Ｃ４２］
ダウンリンク伝送に割り当てられるサブフレームからいくつかのシンボルを識別することと、利用者装置固有基準信号（ＵＥ−ＲＳ）パターンの少なくとも１つの時間領域コンポーネントが、前記ダウンリンク伝送に割り当てられる前記サブフレームからのシンボル数に基づき変化する場合に、前記ダウンリンク伝送に割り当てられる前記サブフレームからのシンボル数に基づき前記ＵＥ−ＲＳパターンを認識することと、前記ＵＥ−ＲＳパターンにより特定された前記サブフレームのリソースエレメント上のＵＥ−ＲＳを検出することと、前記ＵＥ−ＲＳに基づきチャネルを推定することと、に関連した命令を保持するメモリーと、
前記メモリーに結合され、前記メモリー中に保持された前記命令を実行するように構成された、プロセッサーと、
を備える、ワイヤレス通信装置。
［Ｃ４３］
前記ＵＥ−ＲＳパターンの時間領域コンポーネントが、同一の組みのシンボル上に符号分割多重化（ＣＤＭ）グループを含む、Ｃ４２に記載のワイヤレス通信装置。
［Ｃ４４］
前記ＵＥ−ＲＳパターンの前記少なくとも１つの時間領域コンポーネントが、前記ＵＥ−ＲＳパターンの前記少なくとも１つの時間領域コンポーネントを時間シフトすることにより前記ダウンリンク伝送に利用される前記サブフレームからのシンボル数に基づき変化する、Ｃ４２に記載のワイヤレス通信装置。
［Ｃ４５］
前記ＵＥ−ＲＳパターンの前記少なくとも１つの時間領域コンポーネントが、前記ＵＥ−ＲＳパターンの１つの時間領域コンポーネントをパンクチャすることにより前記ダウンリンク伝送に利用される前記サブフレームからのシンボル数に基づき変化する、Ｃ４２に記載のワイヤレス通信装置。
［Ｃ４６］
ワイヤレス通信環境においてチャネルを推定することを可能とするワイヤレス通信装置であって、
ダウンリンク伝送に割り当てられるサブフレームからいくつかのシンボルを識別するための手段と、
利用者装置固有基準信号（ＵＥ−ＲＳ）パターンの少なくとも１つの時間領域コンポーネントが、前記ダウンリンク伝送に割り当てられる前記サブフレームからのシンボル数に基づき変化する場合に、前記ダウンリンク伝送に割り当てられる前記サブフレームからのシンボル数に基づき前記ＵＥ−ＲＳパターンを認識するための手段と、
前記ＵＥ−ＲＳパターンにより特定された前記サブフレームのリソースエレメント上のＵＥ−ＲＳを検出するための手段と、
前記ＵＥ−ＲＳに基づきチャネルを推定するための手段と、
を備える、ワイヤレス通信装置。
［Ｃ４７］
前記ＵＥ−ＲＳパターンの前記少なくとも１つの時間領域コンポーネントが、前記ＵＥ−ＲＳパターンの前記少なくとも１つの時間領域コンポーネントを時間シフトすること、または前記ＵＥ−ＲＳパターンの１つの時間領域コンポーネントをパンクチャすることの１つまたは複数により前記ダウンリンク伝送に利用される前記サブフレームからのシンボル数に基づき変化する、Ｃ４６に記載のワイヤレス通信装置。
［Ｃ４８］
コンピュータ読み取り可能な媒体を備えるコンピュータプログラム製品であって、
ダウンリンク伝送に割り当てられるサブフレームからいくつかのシンボルを識別するためのコードと、
利用者装置固有基準信号（ＵＥ−ＲＳ）パターンの少なくとも１つの時間領域コンポーネントが、前記ダウンリンク伝送に割り当てられる前記サブフレームからのシンボル数に基づき変化する場合に、前記ダウンリンク伝送に割り当てられる前記サブフレームからのシンボル数に基づき前記ＵＥ−ＲＳパターンを認識するためのコードと、
前記ＵＥ−ＲＳパターンにより特定された前記サブフレームのリソースエレメント上のＵＥ−ＲＳを検出するためのコードと、
前記ＵＥ−ＲＳに基づきチャネルを推定するためのコードと、
を備える、コンピュータ読み取り可能な媒体、
を備える、コンピュータプログラム製品。
［Ｃ４９］
前記ＵＥ−ＲＳパターンの前記少なくとも１つの時間領域コンポーネントが、前記ＵＥ−ＲＳパターンの前記少なくとも１つの時間領域コンポーネントを時間シフトすること、または前記ＵＥ−ＲＳパターンの１つの時間領域コンポーネントをパンクチャすることの１つまたは複数により前記ダウンリンク伝送に利用される前記サブフレームからのシンボル数に基づき変化する、Ｃ４８に記載のコンピュータプログラム製品。
［Ｃ５０］
ダウンリンク伝送に割り当てられるサブフレームからいくつかのシンボルを識別し、
利用者装置固有基準信号（ＵＥ−ＲＳ）パターンの少なくとも１つの時間領域コンポーネントが、前記ダウンリンク伝送に割り当てられる前記サブフレームからのシンボル数に基づき変化する場合に、前記ダウンリンク伝送に割り当てられる前記サブフレームからのシンボル数に基づき前記ＵＥ−ＲＳパターンを認識し、
前記ＵＥ−ＲＳパターンにより特定された前記サブフレームのリソースエレメント上のＵＥ−ＲＳを検出し、かつ、
前記ＵＥ−ＲＳに基づきチャネルを推定する、
ように構成された、プロセッサー
を備える、ワイヤレス通信装置。
【図１】
0005940641.tif 000003
【図２】
0005940641.tif 000004
【図３】
0005940641.tif 000005
【図４】
0005940641.tif 000006
【図５】
0005940641.tif 000007
【図６】
0005940641.tif 000008
【図７】
0005940641.tif 000009
【図８】
0005940641.tif 000010
【図９】
0005940641.tif 000011
【図１０】
0005940641.tif 000012
【図１１】
0005940641.tif 000013
【図１２】
0005940641.tif 000014
【図１３】
0005940641.tif 000015
【図１４】
0005940641.tif 000016
【図１５】
0005940641.tif 000017
【図１６】
0005940641.tif 000018